(57)【要約】【課題】高度な歪曲収差補正能力を備えた、小型、軽量で高性能な広角ズームレンズを提供する。【解決手段】この広角ズームレンズは、物体側から順に、負の屈折力を有する第１レンズ群Ｇ1と、正の屈折力を有する第２レンズ群Ｇ2と、正の屈折力を有する第３レンズ群Ｇ3と、が配置されて構成される。第１レンズ群Ｇ1は、物体側から順に配置された、物体側に凸面を向けた負メニスカスレンズＬ11と、負の屈折力を有する第１プラスチックレンズＬ12と、を備えている。第１プラスチックレンズＬ12の物体側面は、当該面の有効径内において、中心部が物体に対して凹形状、周辺部が物体に対し凸形状になるように構成されている。【選択図】図５
2020101719.tif 000002
【特許請求の範囲】
【請求項１】
物体側から順に配置された、負の屈折力を有する第１レンズ群と、正の屈折力を有する第２レンズ群と、第３レンズ群と、から構成され、
少なくとも前記第１レンズ群および前記第２レンズ群を光軸に沿って移動させて、隣り合うレンズ群の光軸上の間隔を変えることにより広角端から望遠端への変倍を行う広角ズームレンズであって、
前記第１レンズ群は、物体側から順に配置された、物体側に凸面を向けた負の屈折力を有するメニスカスレンズと、負の屈折力を有する第１プラスチックレンズと、を備え、
前記第１プラスチックレンズの物体側面は、当該面の有効径内において、中心部が物体側に対して凹形状であり、周辺部が物体側に対して凸形状であることを特徴とする広角ズームレンズ。
【請求項２】
前記第１レンズ群は、前記第１プラスチックレンズの像側に、負の屈折力を有する第２プラスチックレンズを備え、
前記第２プラスチックレンズは、物体側面が物体側に対して凹面であり、像側面が当該面の有効径内において周辺部が像側に対して凹形状であることを特徴とする請求項１に記載の広角ズームレンズ。
【請求項３】
以下に示す条件式を満足することを特徴とする請求項１または２に記載の広角ズームレンズ。
（１）  ４．０≦ｆ２３ｗ／ｆｗ≦１２．０
ただし、ｆ２３ｗは広角端における無限遠物体合焦時の前記第２レンズ群と前記第３レンズ群との合成焦点距離、ｆｗは広角端における無限遠物体合焦時の光学系全系の焦点距離を示す。
【請求項４】
以下に示す条件式を満足することを特徴とする請求項１〜３のいずれか一つに記載の広角ズームレンズ。
（２）  １．６≦｜ｆ１／ｆｗ｜≦６．５
ただし、ｆ１は前記第１レンズ群の焦点距離、ｆｗは広角端における無限遠合焦時の光学系全系の焦点距離を示す。
【請求項５】
前記第１レンズ群と前記第２レンズ群との間に絞りが配置され、
前記絞りは、広角端から望遠端への変倍時および無限遠物体から近距離物体への合焦時に固定され、
さらに、無限遠物体から近距離物体への合焦に際し、前記第１レンズ群が光軸上を移動することを特徴とする請求項１〜４のいずれか一つに記載の広角ズームレンズ。
【請求項６】
前記第２レンズ群は、物体側から順に配置された、非球面を有する正レンズと、少なくとも１組の、負レンズと正レンズとからなる接合レンズと、を備え、
前記第３レンズ群は、物体側から順に配置された、負レンズと、非球面を有する正レンズと、から構成されていることを特徴とする請求項１〜５のいずれか一つに記載の広角ズームレンズ。
【請求項７】
以下に示す条件式を満足することを特徴とする請求項１〜６のいずれか一つに記載の広角ズームレンズ。
（３）  ０．０＜（Ｒ１ａ＋Ｒ２ａ）／（Ｒ１ａ−Ｒ２ａ）＜１．５
ただし、Ｒ１ａは前記第１プラスチックレンズの物体側面の曲率半径、Ｒ２ａは前記第１プラスチックレンズの像側面の曲率半径を示す。
【請求項８】
以下に示す条件式を満足することを特徴とする請求項１〜７のいずれか一つに記載の広角ズームレンズ。
（４）  １．２≦ｆｐ１／ｆ１≦７．０
ただし、ｆｐ１は前記第１プラスチックレンズの焦点距離、ｆ１は前記第１レンズ群の焦点距離を示す。
【請求項９】
以下に示す条件式を満足することを特徴とする請求項２〜８のいずれか一つに記載の広角ズームレンズ。
（５）  ０．４≦ｆｐ２／ｆｐ１≦３．０
ただし、ｆｐ２は前記第２プラスチックレンズの焦点距離、ｆｐ１は前記第１プラスチックレンズの焦点距離を示す。
【請求項１０】
以下に示す条件式を満足することを特徴とする請求項１〜９のいずれか一つに記載の広角ズームレンズ。
（６）  ０．０＜ ｜（ＳａｇＨ−ＳａｇＥ）／ｆｐ１｜＜０．５
ただし、ＳａｇＨは前記第１プラスチックレンズの物体側面における変曲点でのサグ量、ＳａｇＥは前記第１プラスチックレンズの物体側面における最大有効径でのサグ量、ｆｐ１は前記第１プラスチックレンズの焦点距離を示す。
【請求項１１】
以下に示す条件式を満足することを特徴とする請求項１〜１０のいずれか一つに記載の広角ズームレンズ。
（７）  １．２≦｜ｆ２／ｆ１｜≦３．８
ただし、ｆ２は前記第２レンズ群の焦点距離、ｆ１は前記第１レンズ群の焦点距離を示す。
【請求項１２】
以下に示す条件式を満足することを特徴とする請求項１〜１１のいずれか一つに記載の広角ズームレンズ。
（８）  ０．５≦｜ｆ３／ｆ２｜≦３．５
ただし、ｆ３は前記第３レンズ群の焦点距離、ｆ２は前記第２レンズ群の焦点距離を示す。
【請求項１３】
以下に示す条件式を満足することを特徴とする請求項１〜１２のいずれか一つに記載の広角ズームレンズ。
（９）  ０．５≦｜ｆ１／ｆｔ｜≦３．５
ただし、ｆ１は前記第１レンズ群の焦点距離、ｆｔは望遠端における無限遠物体合焦時の光学系全系の焦点距離を示す。
【請求項１４】
以下に示す条件式を満足することを特徴とする請求項１〜１３のいずれか一つに記載の広角ズームレンズ。
（１０）  １．８≦ｆ２３ｔ／ｆｔ≦９．７
ただし、ｆ２３ｔは望遠端における無限遠物体合焦時の前記第２レンズ群と前記第３レンズ群との合成焦点距離、ｆｔは望遠端における無限遠物体合焦時の光学系全系の焦点距離を示す。
【請求項１５】
以下に示す条件式を満足することを特徴とする請求項１〜１４のいずれか一つに記載の広角ズームレンズ。
（１１）  ７．０≦ｆ３／ｆｗ≦１８．０
ただし、ｆ３は前記第３レンズ群の焦点距離、ｆｗは広角端における無限遠物体合焦時の光学系全系の焦点距離を示す。
【請求項１６】
以下に示す条件式を満足することを特徴とする請求項１〜１５のいずれか一つに記載の広角ズームレンズ。
（１２）  ２．５≦ｆ３／ｆｔ≦７．０
ただし、ｆ３は前記第３レンズ群の焦点距離、ｆｔは望遠端における無限遠物体合焦時の光学系全系の焦点距離を示す。
【請求項１７】
請求項１〜１６のいずれか一つに記載の広角ズームレンズと、該広角ズームレンズによって形成された光学像を電気的信号に変換する固体撮像素子と、を備えたことを特徴とする撮像装置。
【発明の詳細な説明】
【技術分野】
【０００１】
本発明は、広角ズームレンズおよび撮像装置に関し、特にＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）等の固体撮像素子が搭載された撮像装置に好適な広角ズームレンズ、およびこの広角ズームレンズを備えた撮像装置に関する。
【背景技術】
【０００２】
現在、ＣＣＤやＣＯＭＳ等の固体撮像素子が搭載された撮像措置として、一眼レフカメラ、デジタルスチルカメラ、ビデオカメラ、監視カメラ等、多種多様の装置が急速に普及している。これに伴い、固体撮像素子に対応したレンズの需要も拡大している。特に、固体撮像素子の高画素化・高感度化が進み、高解像で明るいレンズが求められており、かかる要求に応えるための各種撮像レンズが提案されている（たとえば、特許文献１〜３を参照。）。
【先行技術文献】
【特許文献】
【０００３】
【特許文献１】特開２０１７−１２９８２５号公報
【特許文献２】特許第５５９６４２８号公報
【特許文献３】特開２０１４−５６１３３号公報
【発明の概要】
【発明が解決しようとする課題】
【０００４】
近年、撮像装置のさらなる小型化が要求されており、撮影レンズについてもより小型、軽量化が望まれている。さらに、人工知能を駆使した画像認識技術の進歩により、広角で歪曲の少ない高性能ズームレンズが求められている。
【０００５】
たとえば、特許文献１に記載のズームレンズは、物体側から順に、負の屈折力を有する第１レンズ群、正の屈折力を有する第２レンズ群、正の屈折力を有する第３レンズ群が配置されて構成され、大口径、広角で良好な光学性能を有している。このズームレンズは、広角化、高解像度化、小型化を目的として設計されたものであって、高度な歪曲収差の補正が必要とされる用途での使用は想定していない。したがって、高解像かつ高度の歪曲収差の補正を両立するには、各レンズ群の焦点距離を適切に設定しなおす必要がある。
【０００６】
また、特許文献２に記載のズームレンズは、物体側から順に、負の屈折力を有する第１レンズ群、正の屈折力を有する第２レンズ群、正の屈折力を有する第３レンズ群が配置されて構成され、大口径、広角であるという光学性能を有している。しかし、このズームレンズは、第１レンズ群が、物体側から順に、負メニスカスレンズ、負メニスカスレンズ、負レンズ、正レンズが配置されて構成されているだけで、非球面を有しないため、歪曲収差の補正が困難である。
【０００７】
また、特許文献３に記載のズームレンズは、物体側から順に、負の屈折力を有する第１レンズ群、正の屈折力を有する第２レンズ群、正の屈折力を有する第３レンズ群が配置されて構成され、広角で良好な光学性能を有している。このズームレンズでは、第１レンズ群が、物体側から順に、負メニスカスレンズ、負メニスカスレンズ、負メニスカスレンズ、負レンズ、負レンズ、正レンズが配置されて構成され、特に非球面レンズを３枚用いているため、広角でありながらも歪曲収差は良好に補正されている。しかしながら、第１レンズ群を構成するレンズの枚数が多いため軽量化が難しく、また大口径化を実現するためには、各レンズ群の焦点距離を適切に設定しなおす必要がある。
【０００８】
本発明は、上述した従来技術による問題点を解消するため、高度な歪曲収差補正能力を備えた、小型、軽量で高性能な広角ズームレンズおよび撮像装置を提供することを目的とする。
【課題を解決するための手段】
【０００９】
上述した課題を解決し、目的を達成するため、本発明にかかる広角ズームレンズは、物体側から順に配置された、負の屈折力を有する第１レンズ群と、正の屈折力を有する第２レンズ群と、第３レンズ群と、から構成され、少なくとも前記第１レンズ群および前記第２レンズ群を光軸に沿って移動させて、隣り合うレンズ群の光軸上の間隔を変えることにより広角端から望遠端への変倍を行う広角ズームレンズであって、前記第１レンズ群は、物体側から順に配置された、物体側に凸面を向けた負の屈折力を有するメニスカスレンズと、負の屈折力を有する第１プラスチックレンズと、を備え、前記第１プラスチックレンズの物体側面は、当該面の有効径内において、中心部が物体側に対して凹形状であり、周辺部が物体側に対して凸形状であることを特徴とする。
【００１０】
本発明によれば、高度な歪曲収差補正能力を備えた、小型、軽量で高性能な広角ズームレンズを提供することができる。
【００１１】
また、本発明にかかる撮像装置は、前記広角ズームレンズと、該広角ズームレンズによって形成された光学像を電気的信号に変換する撮像素子と、を備えたことを特徴とする。
【００１２】
本発明によれば、良好な画像が得られる高性能の撮像装置を提供することができる。
【発明の効果】
【００１３】
本発明によれば、高度な歪曲収差補正能力を備えた、小型、軽量で高性能な広角ズームレンズおよび撮像装置を提供することができるという効果を奏する。
【図面の簡単な説明】
【００１４】
【図１】第１プラスチックレンズの形状を示す光軸に沿う断面図である。
【図２】第２プラスチックレンズの形状を示す光軸に沿う断面図である。
【図３】サグ量を説明するための図である。
【図４】変曲点を説明するための図である。
【図５】実施例１にかかる広角ズームレンズの構成を示す光軸に沿う断面図である。
【図６】実施例１にかかる広角ズームレンズの諸収差図である。
【図７】実施例２にかかる広角ズームレンズの構成を示す光軸に沿う断面図である。
【図８】実施例２にかかる広角ズームレンズの諸収差図である。
【図９】実施例３にかかる広角ズームレンズの構成を示す光軸に沿う断面図である。
【図１０】実施例３にかかる広角ズームレンズの諸収差図である。
【図１１】実施例４にかかる広角ズームレンズの構成を示す光軸に沿う断面図である。
【図１２】実施例４にかかる広角ズームレンズの諸収差図である。
【図１３】実施例５にかかる広角ズームレンズの構成を示す光軸に沿う断面図である。
【図１４】実施例５にかかる広角ズームレンズの諸収差図である。
【図１５】実施例６にかかる広角ズームレンズの構成を示す光軸に沿う断面図である。
【図１６】実施例６にかかる広角ズームレンズの諸収差図である。
【図１７】実施例７にかかる広角ズームレンズの構成を示す光軸に沿う断面図である。
【図１８】実施例７にかかる広角ズームレンズの諸収差図である。
【図１９】実施例８にかかる広角ズームレンズの構成を示す光軸に沿う断面図である。
【図２０】実施例８にかかる広角ズームレンズの諸収差図である。
【図２１】実施例９にかかる広角ズームレンズの構成を示す光軸に沿う断面図である。
【図２２】実施例９にかかる広角ズームレンズの諸収差図である。
【図２３】本発明にかかる広角ズームレンズを備えた撮像装置の一適用例を示す図である。
【発明を実施するための形態】
【００１５】
以下、本発明にかかる広角ズームレンズおよび撮像装置の好適な実施の形態を詳細に説明する。なお、本発明では、レンズの実質枚数は、ほとんど屈折力を持たない光学フィルターや平行平面板、収差補正効果をほとんどもたない焦点距離の長いレンズ等を除いて数える。また、２枚のレンズが接合されている接合レンズも２枚と数えるものとする。
【００１６】
本発明にかかる広角ズームレンズは、物体側から順に、負の屈折力を有する第１レンズ群と、正の屈折力を有する第２レンズ群と、第３レンズ群と、が配置されて構成される。そして、少なくとも第１レンズ群および第２レンズ群を光軸に沿って移動させて、隣り合うレンズ群の光軸上の間隔を変えることにより広角端から望遠端への変倍を行う。このように構成することによって、簡易で小型な広角ズームレンズを容易に実現することができる。なお、本発明では第３レンズ群の屈折力の正負は特に規定しない。ただ、第３レンズ群が、正の屈折力を備え、広角端から望遠端への変倍に際し固定されるように構成すれば、より小型な光学系を実現することができる。
【００１７】
さらに、本発明にかかる広角ズームレンズでは、第１レンズ群に、物体側から順に配置された、物体側に凸面を向けた負の屈折力を有するメニスカスレンズと、負の屈折力を有する第１プラスチックレンズと、を備えている。ここで、プラスチックレンズとは、一般に光学系のレンズとして使用される樹脂材料から形成されたレンズを指すものとする。プラスチックレンズは、軽量で安価である。したがって、プラスチックレンズを用いることで、第１レンズ群の軽量化、低コスト化を促進することができる。
【００１８】
さらに、第１プラスチックレンズの物体側面を、当該面の有効径内において、中心部が物体に対して凹形状、周辺部が物体に対し凸形状になるように形成している。以下、図１に基づき、第１プラスチックレンズの形状の詳細を説明する。
【００１９】
図１（ａ）は第１プラスチックレンズの形状を示す光軸に沿う断面図、図１（ｂ）は図１（ａ）の部分拡大図である。図１（ａ）に示すように、本発明では、第１プラスチックレンズの物体側面を、光軸近傍の中心部が物体に対して凹形状、有効径内であって光軸から離れた周辺部で物体に対して凸形状になるように形成する。このようにすることで、第１プラスチックレンズの物体側面における光軸より外側の有効径内に変曲点（詳細は後述）をもつ非球面を形成することができ、高度な歪曲収差補正能力を備えること可能になる。
【００２０】
なお、本発明では、第１プラスチックレンズの像側面の形状については特に規定しない。しかし、第１プラスチックレンズの像側面を、像面に対して凹面に形成し、さらに非球面形状とすれば像面湾曲の補正がより効果的に行われる。
【００２１】
第１レンズ群の最も物体側に配置される物体側に凸面を向けた負の屈折力を有するメニスカスレンズは、ガラス硝材によって構成されるレンズである。最も物体側に配置されるレンズをガラス硝材とすることによって、環境変化への耐性を持った広角ズームレンズとすることが可能となる。
【００２２】
本発明は、以上のような特徴を備えることによって、歪曲収差と像面湾曲を効果的に補正することが可能になり、高度な歪曲収差補正能力を備えた、小型、軽量で高性能な広角ズームレンズを実現することができる。
【００２３】
さらに、本発明にかかる広角ズームレンズは、第１レンズ群が、第１プラスチックレンズの像側に、負の屈折力を有する第２プラスチックレンズを備え、少なくとも２枚のプラスチックレンズを含み構成されることが好ましい。広角レンズでは、第１レンズ群の口径が大きくなり群全体も大型化する傾向があるため、樹脂材質からなるプラスチックレンズを２枚用いることでより効果的に軽量化、低価格化を図ることができる。以下、図２に基づき、第２プラスチックレンズの形状を説明する。
【００２４】
図２は、第２プラスチックレンズの形状を示す光軸に沿う断面図である。図２に示すように、第２プラスチックレンズの物体側面を物体に対して凹面としたことで、諸収差の補正能力を向上させている。さらに、第２プラスチックレンズの物体側面を非球面とすれば、より収差補正に効果的である。
【００２５】
一方、第２プラスチックレンズの像側面は、光軸中心より離れた有効径までの周辺部が像面に対して凹形状となっている。また、第２プラスチックレンズの像側面の光軸近傍の中心部は像面に対して凸形状に形成してもよいし、凹形状に形成してよい。つまり、第２プラスチックレンズの像側面の曲率半径は正負どちらでもよい。第２プラスチックレンズの像側面も非球面とすれば、より収差補正に効果的である。なお、第２プラスチックレンズの像側面の最大有効径部は、像側面頂に対して像側にある。そのため、中心部が凸形状でも凹形状でも最大有効径部のサグ量（詳細は後述）は正となっている。
【００２６】
以上のような特徴を備えた第２プラスチックレンズは、第１プラスチックレンズだけでは補正不足となる歪曲収差を補正すると共に、より効果的に像面湾曲を補正する役割を果たす。第１レンズ群において、前述の第１プラスチックレンズの像側に第２プラスチックレンズを配置することにより、第１レンズ群で発生する歪曲収差と像面湾曲を非常に良好に補正することが可能になる。これにより、広角で高度の歪曲収差補正能力を備えた、小型、軽量で高性能な光学系を実現することができる。なお、第２プラスチックレンズは第１プラスチックレンズの像側に配置されてさえいればよく、第１プラスチックレンズと第２プラスチックレンズとの間にレンズ等の光学素子を適切に配置すれば、光学性能が劣化するようなことはない。
【００２７】
さらに、本発明にかかる広角ズームレンズでは、広角端における無限遠物体合焦時の第２レンズ群と第３レンズ群との合成焦点距離をｆ２３ｗ、広角端における無限遠物体合焦時の光学系全系の焦点距離をｆｗとするとき、次の条件式を満足することが好ましい。
（１）  ４．０≦ｆ２３ｗ／ｆｗ≦１２．０
【００２８】
条件式（１）は、広角端における第２レンズ群と第３レンズ群との合成焦点距離と広角端における無限遠合焦時の光学系全系の焦点距離との比を規定するものである。条件式（１）を満足することで、広角端における第２レンズ群と第３レンズ群との合成焦点距離が適切になって、第１レンズ群で発生する球面収差、非点収差、軸上色収差を効果的に補正することができる。
【００２９】
条件式（１）においてその下限を下回ると、広角端における第２レンズ群と第３レンズ群との合成焦点距離が短くなりすぎて、球面収差や非点収差、軸上色収差の発生が顕著になり、良好な光学性能を得ることが困難となる。一方、条件式（１）においてその上限を超えると、広角端における第２レンズ群と第３レンズ群との合成焦点距離が長くなりすぎて球面収差や非点収差、軸上色収差が補正不足になるとともに、光学系の全長が延びて光学系の小型化が困難となる。
【００３０】
なお、上記条件式（１）の下限値は、好ましくは４．５以上、より好ましくは５．０以上になるように設定するとよい。一方、上記条件式（１）の上限値は、好ましくは１１．０以下、より好ましくは１０．０以下、より好ましくは９．５０以下になるように設定するとよい。
【００３１】
さらに、本発明にかかる広角ズームレンズでは、第１レンズ群の焦点距離をｆ１、広角端における無限遠合焦時の光学系全系の焦点距離をｆｗとするとき、次の条件式を満足することが好ましい。
（２）  １．６≦｜ｆ１／ｆｗ｜≦６．５
【００３２】
条件式（２）は、第１レンズ群の焦点距離と広角端における無限遠合焦時の光学系全系の焦点距離との比の絶対値を規定するものである。条件式（２）を満足することで、広角端における第１レンズ群の焦点距離が適切になって、像面湾曲が効果的に補正され、明るい光学系を得ることができる。
【００３３】
条件式（２）においてその下限を下回ると、第１レンズ群の焦点距離が短くなりすぎて、広角端において像面湾曲の発生が顕著になるとともに、第１レンズ群による発散光束径が大きくなって、明るく良好な光学性能を備えた光学系の実現が困難となる。一方、条件式（２）においてその上限を超えると、第１レンズ群の焦点距離が長くなりすぎて、レンズ口径が大きくなり、光学系全長も長くなるため、光学系の小型化の実現が困難となる。
【００３４】
なお、上記条件式（２）の下限値は、好ましくは１．７以上、より好ましくは１．８以上になるように設定するとよい。一方、上記条件式（２）の上限値は、好ましくは６．０以下、より好ましくは５．５以下になるように設定するとよい。
【００３５】
さらに、本発明にかかる広角ズームレンズでは、上記構成において、第１レンズ群と第２レンズ群との間に絞りを配置することが好ましい。絞りを第１レンズ群と第２レンズ群の間に配置することによって、レンズの径大化を抑えることが可能になる。
【００３６】
さらに、広角端から望遠端への変倍時に絞りを光軸上に固定することが好ましい。変倍時に絞りを固定することによって、変倍の機構を簡易な構成とすることが可能となり、ズームレンズの径方向の小型化を促進することが可能となる。さらに、絞りを無限遠物体から近距離物体への合焦の際に固定することで光学系のフォーカスの機構を簡易な構成とすることが可能となり、ズームレンズの径方向の小型化をさらに促進することが可能になる。
【００３７】
本発明にかかるズームレンズにおいて、無限遠物体から近距離物体への合焦に際し、第１レンズ群が光軸上を移動するように構成することが好ましい。無限遠物体から近距離物体への合焦時は、第１レンズ群を光軸に沿って像側へ移動させることにより行うことが好ましい。このような動作で合焦を行うことにより、無限遠物体から近距離物体まで高い光学性能を維持することができる。
【００３８】
さらに、本発明にかかる広角ズームレンズでは、上記構成において、第２レンズ群に、物体側から順に配置された、非球面を有する正レンズと、少なくとも１組の、負レンズと正レンズとからなる接合レンズと、を備え、第３レンズ群は、物体側から順に配置された、負レンズと、非球面を有する正レンズと、から構成するとよい。
【００３９】
本発明にかかる広角ズームレンズにおいて、第２レンズ群を、物体側から順に、非球面を有する正レンズと、少なくとも１組の、負レンズと正レンズとからなる接合レンズとを有することが好ましい。第２レンズ群の最も物体側に非球面を有する正レンズを配置することによって、球面収差を良好に補正することが可能となる。さらに、第２レンズ群の最も物体側に配置された正レンズの像側に負レンズと正レンズからなる接合レンズを配置することによって、軸上色収差をより良好に補正することが可能となる。このとき、第２レンズ群の最も物体側に配置された正レンズは両凸形状であることによって、さらに収差補正をより良好に行うことが可能となる。
【００４０】
本発明にかかる広角ズームレンズにおいて、第３レンズ群は正の屈折力を有することが好ましい。第３レンズ群が正の屈折力を有することによって、非点収差と軸上色収差を良好に補正することが可能となる。さらに、第３レンズ群を、物体側から順に、負レンズと正レンズを有する構成とすることがより好ましい。第３レンズ群の最も物体側に負レンズを配置することによって、非点収差を良好に補正することが可能となる。さらに、第３レンズ群の最も物体側に配置された負レンズの像側に配置される正レンズは両凸形状であることが好ましい。両凸形状とすることによって、より良好に収差補正が可能となる。さらに、第３レンズ群の最も物体側に配置された負レンズの像側に配置された正レンズは非球面を有することが好ましい。この構成によって、像面湾曲をより良好に補正することが可能となる。
【００４１】
さらに、本発明にかかる広角ズームレンズでは、第１プラスチックレンズの物体側面の曲率半径をＲ１ａ、第１プラスチックレンズの像側面の曲率半径をＲ２ａとするとき、次の条件式を満足することが好ましい。
（３）  ０．０＜（Ｒ１ａ＋Ｒ２ａ）／（Ｒ１ａ−Ｒ２ａ）＜１．５
【００４２】
条件式（３）は、第１プラスチックレンズにおける、物体側の面の曲率半径Ｒ１ａと像側面の曲率半径Ｒ２ａの形状を規定するものである。条件式（３）を満足することで、歪曲収差を良好に補正して高い光学性能を維持することができる。
【００４３】
条件式（３）においてその下限を下回ると、第１プラスチックレンズの物体側面での歪曲収差の補正が不足するため、好ましくない。一方、条件式（３）においてその上限を超えると、第１プラスチックレンズの物体側面で発生する歪曲収差が顕著になるとともに、像面湾曲も増大するため、良好な光学性能を得ることが難しくなる。
【００４４】
なお、上記条件式（３）の下限値は、好ましくは０．０５を超える値、より好ましくは０．０８を超える値になるように設定するとよい。一方、上記条件式（２）の上限値は、好ましくは１．２未満、より好ましくは１．１未満になるように設定するとよい。
【００４５】
さらに、本発明にかかる広角ズームレンズでは、第１プラスチックレンズの焦点距離をｆｐ１、第１レンズ群の焦点距離をｆ１とするとき、次の条件式を満足することが好ましい。
（４）  １．２≦ｆｐ１／ｆ１≦７．０
【００４６】
条件式（４）は、第１レンズ群に配置された第１プラスチックレンズの焦点距離と第１レンズ群の焦点距離との比を規定するものである。条件式（４）を満足することで、歪曲収差と像面湾曲を良好に補正することができる。
【００４７】
条件式（４）においてその下限を下回ると、第１プラスチックレンズの焦点距離が短くなりすぎて、歪曲収差の補正が過剰になるため、好ましくない。一方、条件式（４）においてその上限を超えると、第１プラスチックレンズの焦点距離が長くなりすぎて、光学系全長が延びるとともに、歪曲収差の補正が不足するため、好ましくない。
【００４８】
なお、上記条件式（４）の下限値は、好ましくは１．４以上、より好ましくは１．６以上になるように設定するとよい。一方、上記条件式（４）の上限値は、好ましくは６．０以下、より好ましくは５．５以下、より好ましくは５．０以下になるように設定するとよい。
【００４９】
さらに、本発明にかかる広角ズームレンズでは、第２プラスチックレンズの焦点距離をｆｐ２、第１プラスチックレンズの焦点距離をｆｐ１とするとき、次の条件式を満足することが好ましい。
（５）  ０．４≦ｆｐ２／ｆｐ１≦３．０
【００５０】
条件式（５）は、第１レンズ群中の、第２プラスチックレンズの焦点距離と第１プラスチックレンズの焦点距離との比を規定するものである。条件式（５）を満足することで、歪曲収差と像面湾曲を良好に補正することができる。
【００５１】
条件式（５）においてその下限を下回ると、第２プラスチックレンズの焦点距離が短くなりすぎて、歪曲収差と像面湾曲の発生が顕著になるため、好ましくない。一方、条件式（５）においてその上限を超えると、第２プラスチックレンズの焦点距離が長くなりすぎて、歪曲収差の補正が難しくなるとともに、像面湾曲を適切に補正できなくなる。
【００５２】
なお、上記条件式（５）の下限値は、好ましくは０．５以上、より好ましくは０．６以上になるように設定するとよい。一方、上記条件式（５）の上限値は、好ましくは２．５以下、より好ましくは２．０以下になるように設定するとよい。
【００５３】
さらに、本発明にかかる広角ズームレンズでは、第１プラスチックレンズの物体側面における変曲点でのサグ量をＳａｇＨ、第１プラスチックレンズの物体側面における最大有効径でのサグ量をＳａｇＥ、第１プラスチックレンズの焦点距離をｆｐ１とするとき、次の条件式を満足することが好ましい（ＳａｇＨ、ＳａｇＥについては図１参照）。
（６）  ０．０＜ ｜（ＳａｇＨ−ＳａｇＥ）／ｆｐ１｜＜０．５
【００５４】
条件式（６）は、第１レンズ群に配置された第１プラスチックレンズの物体側の面の変曲点でのサグ量と最大有効径部のサグ量との差と、第１レンズ群に配置された第１プラスチックレンズの焦点距離との比を規定するものである。条件式（６）を満足することにより、歪曲収差を良好に補正することができる。以下、図３および図４に基づき、サグ量と変曲点について説明する。
【００５５】
図３は、サグ量を説明するための図である。図３において、まず、光軸とレンズの交わる点を面頂と定義する。そして、サグ量とは、面頂と、レンズ面上の１点から光軸へ伸ばした垂線が光軸と交わる点との距離（レンズの光軸に平行な方向への削り量）のことを云う。なお、本発明では、サグ量の符号は、面頂を基準として物体側を負、像側を正とする。
【００５６】
図４は、変曲点を説明するための図である。図４では、前述した第１プラスチックレンズを例にして変曲点について説明する。図４に示すように、変曲点とは、レンズ面上において光軸上の面頂から径方向へ離れていくにつれて、サグ量が増加から減少に変化する点、またはサグ量が減少から増加に変化する点のことを云う。
【００５７】
条件式（６）においてその下限に漸近すると、周辺部のサグ量が小さくなりすぎて、歪曲収差を十分に補正できなくなる。一方、条件式（６）においてその上限を超えると、周辺部のサグ量が大きくなりすぎて、歪曲収差の補正が過剰になり、好ましくない。
【００５８】
なお、上記条件式（６）の下限値は、好ましくは０．０５を超える値、より好ましくは０．１０を超える値になるように設定するとよい。一方、上記条件式（６）の上限値は、好ましくは０．４未満、より好ましくは０．３未満、より好ましくは０．２５未満になるように設定するとよい。
【００５９】
さらに、本発明にかかる広角ズームレンズでは、第２レンズ群の焦点距離をｆ２、第１レンズ群の焦点距離をｆ１とするとき、次の条件式を満足することが好ましい。
（７）  １．２≦｜ｆ２／ｆ１｜≦３．８
【００６０】
条件式（７）は、第２レンズ群の焦点距離と第１レンズ群の焦点距離との比の絶対値を規定するものである。条件式（７）を満足することで、変倍時の第１レンズ群の動作に伴う非点収差や像面湾曲の発生を抑制することができる。
【００６１】
条件式（７）が下限を下回ると、第２レンズ群の焦点距離が短くなりすぎて、像面湾曲の補正が過剰になって、広角端から望遠端への変倍時に良好な光学性能を得ることが困難となる。一方、条件式（７）においてその上限を超えると、第２レンズ群の焦点距離が長くなりすぎて、像面湾曲を補正することが難しくなるとともに、広角端から望遠端への変倍時に良好な光学性能を得ることが困難となる。特に、明るい光学系では、変倍時の球面収差、像面湾曲、非点収差を含む諸収差の補正が極めて難しくなり、良好な光学性能を備えた光学系を実現することが困難となる。
【００６２】
なお、上記条件式（７）の下限値は、好ましくは１．３以上、より好ましくは１．４以上、より好ましくは１．５以上になるように設定するとよい。一方、上記条件式（７）の上限値は、好ましくは３．５以下、より好ましくは３．３以下、より好ましくは３．０以下、より好ましくは２．８以下になるように設定するとよい。
【００６３】
さらに、本発明にかかる広角ズームレンズでは、第３レンズ群の焦点距離をｆ３、第２レンズ群の焦点距離をｆ２とするとき、次の条件式を満足することが好ましい。
（８）  ０．５≦｜ｆ３／ｆ２｜≦３．５
【００６４】
条件式（８）は、第３レンズ群の焦点距離と第２レンズ群の焦点距離との比の絶対値を規定するものである。条件式（８）を満足することで、変倍時に第２レンズ群で補正しきれない球面収差や像面湾曲を第３レンズ群で良好に補正することができる。
【００６５】
条件式（８）においてその下限を下回ると、第３レンズ群の焦点距離が短くなりすぎて、広角端から望遠端にかけて球面収差の補正が過剰になるとともに、像面湾曲を良好に補正することが難しくなる。一方、条件式（８）においてその上限を超えると、第３レンズ群の焦点距離が長くなりすぎて、広角端から望遠端にかけて球面収差を良好に補正することが難しくなるとともに、光学系の全長が延びて光学系の小型化が困難となる。
【００６６】
なお、上記条件式（８）の下限値は、好ましくは０．８以上、より好ましくは１．０以上になるように設定するとよい。一方、上記条件式（８）の上限値は、好ましくは３．０以下、より好ましくは２．５以下、より好ましくは２．２以下になるように設定するとよい。
【００６７】
さらに、本発明にかかる広角ズームレンズでは、第１レンズ群の焦点距離をｆ１、望遠端における無限遠物体合焦時の光学系全系の焦点距離をｆｔとするとき、次の条件式を満足することが好ましい。
（９）  ０．５≦｜ｆ１／ｆｔ｜≦３．５
【００６８】
条件式（９）は、第１レンズ群の焦点距離と望遠端における無限遠合焦時の光学系全系の焦点距離との比の絶対値を規定するものである。条件式（９）を満足することで、望遠端における第１レンズ群の焦点距離が適切になって、像面湾曲が効果的に補正され、明るい光学系を実現することができる。
【００６９】
条件式（９）においてその下限を下回ると、第１レンズ群の焦点距離が短くなりすぎて、望遠端において像面湾曲の発生が顕著になり、良好な光学性能を実現することが難しくなる。一方、条件式（９）においてその上限を上回ると、第１レンズ群の焦点距離が長くなりすぎて、光学系全長が延び、光学系の小型化が困難となる。
【００７０】
なお、上記条件式（９）の下限値は、好ましくは０．６以上、より好ましくは０．７以上になるように設定するとよい。一方、上記条件式（９）の上限値は、好ましくは３．０以下、より好ましくは２．５以下、より好ましくは２．２以下になるように設定するとよい。
【００７１】
さらに、本発明にかかる広角ズームレンズでは、望遠端における無限遠物体合焦時の第２レンズ群と第３レンズ群との合成焦点距離をｆ２３ｔ、望遠端における無限遠物体合焦時の光学系全系の焦点距離をｆｔとするとき、次の条件式を満足することが好ましい。
（１０）  １．８≦ｆ２３ｔ／ｆｔ≦９．７
【００７２】
条件式（１０）は、望遠端における第２レンズ群と第３レンズ群との合成焦点距離と、第１レンズ群の焦点距離との比を規定するものである。条件式（１０）を満足することで、第２レンズ群と第３レンズ群との合成焦点距離が適切になって、望遠端において第１レンズ群で発生する球面収差、非点収差、軸上色収差を第２レンズ群および第３レンズ群で効果的に補正することができる。
【００７３】
条件式（１０）においてその下限を下回ると、望遠端における第２レンズ群と第３レンズ群との合成焦点距離が短くなりすぎて、球面収差や非点収差、軸上色収差が補正過剰になるため、効果的な収差補正を行うことが困難となる。一方、条件式(１０)においてその上限を超えると、望遠端における第２レンズ群と第３レンズ群との合成焦点距離が長くなりすぎて、球面収差や非点収差、軸上色収差が補正不足になるため、良好な光学性能を得ることが困難となる。また、第２レンズ群と第３レンズ群との合成焦点距離が長くなることで、光学系全長が延び、光学系の小型化が困難となる。
【００７４】
なお、上記条件式（１０）の下限値は、好ましくは２．０以上、より好ましくは２．５以上、より好ましくは２．８以上になるように設定するとよい。一方、上記条件式（１０）の上限値は、好ましくは８．７以下、より好ましくは８．０以下になるように設定するとよい。
【００７５】
さらに、本発明にかかる広角ズームレンズでは、第３レンズ群の焦点距離をｆ３、広角端における無限遠物体合焦時の光学系全系の焦点距離をｆｗとするとき、次の条件式を満足することが好ましい。
（１１）  ７．０≦ｆ３／ｆｗ≦１８．０
【００７６】
条件式（１１）は、第３レンズ群の焦点距離と広角端における無限遠物体合焦時の光学系全系の焦点距離との比を規定するものである。条件式（１１）を満足することで、広角端における第３レンズ群の屈折力が適切になって、球面収差、像面湾曲を良好に補正することができる。
【００７７】
条件式（１１）においてその下限を下回ると、第３レンズ群の焦点距離が短くなりすぎて、広角端における球面収差、像面湾曲の補正が過剰になり、良好な光学性能を得ることが難しくなる。一方、条件式（１１）においてその上限を超えると、第３レンズ群の焦点距離が長くなりすぎて、広角端における球面収差、像面湾曲の補正が不足して、良好な光学性能を得ることが難しくなる。また、光学系全長が延びて、光学系の小型化が困難となる。
【００７８】
なお、上記条件式（１１）の下限値は、好ましくは７．５以上、より好ましくは８．０以上、より好ましくは９．０以上、より好ましくは９．５以上になるように設定するとよい。一方、上記条件式（１１）の上限値は、好ましくは１６．０以下、より好ましくは１４．０以下、より好ましくは１３．０以下、より好ましくは１２．０以下になるように設定するとよい。
【００７９】
さらに、本発明にかかる広角ズームレンズでは、第３レンズ群の焦点距離をｆ３、望遠端における無限遠物体合焦時の光学系全系の焦点距離をｆｔとするとき、次の条件式を満足することが好ましい。
（１２）  ２．５≦ｆ３／ｆｔ≦７．０
【００８０】
条件式（１２）は、第３レンズ群の焦点距離と望遠端における無限遠合焦時の光学系全系の焦点距離との比を規定するものである。条件式（１２）を満足することで、望遠端における第３レンズ群の屈折力が適切になって、球面収差、像面湾曲を良好に補正することができる。
【００８１】
条件式（１２）においてその下限を下回ると、第３レンズ群の焦点距離が短くなりすぎて、望遠端における球面収差、像面湾曲の補正が過剰になり、良好な光学性能を得ることが難しくなる。一方、条件式（１２）においてその上限を超えると、第３レンズ群の焦点距離が長くなりすぎて、望遠端における球面収差、像面湾曲の補正が不足し、良好な光学性能を得ることが難しくなる。また、光学系全長が延びて、光学系の小型化が困難となる。
【００８２】
なお、上記条件式（１２）の下限値は、好ましくは３．０以上、より好ましくは３．５以上になるように設定するとよい。一方、上記条件式（１２）の上限値は、好ましくは６．０以下、より好ましくは５．５以下、より好ましくは５．０以下になるように設定するとよい。
【００８３】
以上説明したように、本発明は、物体側から順に、負の屈折力を有する第１レンズ群と、正の屈折力を有する第２レンズ群と、第３レンズ群と、を配置し、第１レンズ群に特殊な形状の非球面を有するプラスチックレンズを備えることによって、歪曲収差を効率的に補正するとともに、軽量化、低価格化を図り、各レンズ群の焦点距離を適切に設定することで、大口径、小型の広角ズームレンズを実現することができる。加えて、上記各条件式を満足することによって、より優れた光学性能を備えた広角ズームレンズを実現することができる。
【００８４】
このような特徴を備えた本発明にかかる広角ズームレンズは、写真用のカメラはもとより、監視カメラ等、様々な撮像装置に用いることができる。特に、高画素、高感度化が進んだ固体撮像素子を備えた撮像装置に好適である。
【００８５】
たとえば、上記構成を備えた本発明にかかる広角ズームレンズを、この広角ズームレンズによって形成された光学像を電気的信号に変換する固体撮像素子とともに備えて撮像装置を構成すれば、諸収差を全変倍域に亘って良好に補正させ、良好な画像が得られる高性能の撮像装置を実現することができる。
【００８６】
さらに、本発明にかかる広角ズームレンズを、近赤外線領域の波長に対しても、良好に諸収差を補正させ、昼夜を問わず、良好な画像が得られる高性能の撮像装置を実現することができる。
【００８７】
以下、本発明にかかる広角ズームレンズの実施例を図面に基づき詳細に説明する。なお、以下の実施例により本発明が限定されるものではない。
【実施例１】
【００８８】
図５は、実施例１にかかる広角ズームレンズの構成を示す光軸に沿う断面図である。このズームレンズは、図示しない物体側から順に、負の屈折力を有する第１レンズ群Ｇ1と、正の屈折力を有する第２レンズ群Ｇ2と、正の屈折力を有する第３レンズ群Ｇ3と、が配置されて構成される。第１レンズ群Ｇ1と第２レンズ群Ｇ2との間には、所定の口径を規定する絞りＳが配置されている。第３レンズ群Ｇ3と像面ＩＭＧとの間には、カバーガラスＣＧが配置されている。カバーガラスＣＧは、必要に応じて配置される。
【００８９】
第１レンズ群Ｇ1は、物体側から順に、物体側に凸面を向けた負メニスカスレンズＬ11と、負の屈折力を有する第１プラスチックレンズＬ12と、負の屈折力を有する第２プラスチックレンズＬ13と、物体側に凸面を向けた負メニスカスレンズＬ14と、物体側に凸面を向けた正メニスカスレンズＬ15と、が配置されて構成される。
【００９０】
第１プラスチックレンズＬ12の物体側面は、当該面の有効径内において、中心部が物体側に対して凹形状、周辺部が物体側に対して凸形状になっている。第２プラスチックレンズＬ13は、物体側面は物体側に対して凹面であり、像側面は当該面の有効径内において周辺部が像側に対して凹形状になっている。第１プラスチックレンズＬ12の両面および第２プラスチックレンズＬ13の両面は、それぞれ非球面になっている。また、負メニスカスレンズＬ14と正メニスカスレンズＬ15とは、接合されている。
【００９１】
第２レンズ群Ｇ2は、物体側から順に、両凸正レンズＬ21と、両凹負レンズＬ22と、両凸正レンズＬ23と、両凹負レンズＬ24と、両凸正レンズＬ25と、が配置されて構成される。両凹負レンズＬ22と両凸正レンズＬ23とは、接合されている。両凸正レンズＬ21の両面には、非球面が形成されている。また、両凹負レンズＬ24と両凸正レンズＬ25とは、接合されている。
【００９２】
第３レンズ群Ｇ3は、物体側から順に、両凹負レンズＬ31と、両凸正レンズＬ32と、が配置されて構成される。両凸正レンズＬ32の両面には、非球面が形成されている。
【００９３】
この広角ズームレンズでは、広角端から望遠端への変倍に際して、絞りＳを固定したまま、第１レンズ群Ｇ1と第２レンズ群Ｇ2との間隔が徐々に狭まるように、第２レンズ群Ｇ2と第３レンズ群Ｇ3との間隔が徐々に広がるように、第１レンズ群Ｇ1、第２レンズ群Ｇ2を移動させる。
【００９４】
具体的には、広角端から望遠端への変倍に際して、各レンズ群は次のように動作する。第１レンズ群Ｇ1は、光軸に沿って物体側から像面ＩＭＧ側に単調に移動する。第２レンズ群Ｇ2は、光軸に沿って像面ＩＭＧ側から物体側へ単調に移動する。なお、第３レンズ群Ｇ3は固定である（以上、図中の実線矢印を参照）。
【００９５】
また、この広角ズームレンズでは、絞りＳを固定したまま、第１レンズ群Ｇ1を光軸に沿って物体側から像面ＩＭＧ側へ移動させることによって、無限遠物体から近距離物体への合焦を行う（以上、図中の破線矢印を参照）。
【００９６】
以下、実施例１にかかる広角ズームレンズに関する各種数値データ（光学諸元表）を示す。各種数値データにおいて、ＮＳは面番号（物体側から像面側への面の順番）、ｒはレンズ、絞り面などの曲率半径（ｍｍ）、ｄはレンズ肉厚または空気間隔（ｍｍ）、ｎｄはレンズなどのｄ線（５８７．６ｎｍ）に対する屈折率、νｄはレンズなどのｄ線に対するアッベ数を示している。面番号に＊を付した面は非球面を示している。なお、曲率半径の符号は、物体側に凸面を向けた場合を正とする。非球面係数において「Ｅ−ｎ」は『×１０-n』を表している。また、広角ズームレンズ全系の焦点距離ｆ（ｍｍ）、ＦナンバーＦＮＯ、半画角ω（°）、像高（ｍｍ）、光学系全長（ｍｍ）の値は、ｄ線に対する値である。後述する実施例２以降も同様である。
【００９７】
（面データ）
ＮＳ          ｒ          ｄ          ｎｄ        νｄ
1           50.158       1.500      1.58913      61.25
2           18.000       7.100
3*         -49.863       1.500      1.53504      55.71
4*          14.300      10.685
5*         -11.316       2.300      1.53504      55.71
6*         500.000       1.830
7           20.816       0.600      1.49700      81.60
8           12.235       2.746      1.85478      24.79
9           25.109         d9(可変) 
10(絞り)       inf        d10(可変) 
11*         10.720       3.684      1.49710      81.55
12*        -16.000       0.743
13         -19.842       0.500      1.73800      32.32
14          18.780       2.509      1.80809      22.76
15         -20.362       1.583
16       -3700.000       0.500      1.85478      24.79
17           8.646       3.623      1.43700      95.10
18         -10.624        d18(可変) 
19         -17.462       0.500      1.74950      35.33
20          31.712       0.150
21*         14.725       2.911      1.72903      54.04
22*        -14.091       3.100
23             inf       1.500      1.51680      64.19
24             inf           BF(バックフォーカス) 
25             inf           - 
【００９８】
（各種データ）
広角端       中間     望遠端
f               2.398(fw)  3.896      5.822(ft)
FNO             1.442      1.745      2.343
ω             52.660     37.977     27.368
像高            3.300      3.300      3.300
光学系全長     82.002     71.595     69.061
【００９９】
（可変間隔：変倍時）
変倍比：2.43
広角端       中間     望遠端
f               2.398      3.896      5.822
撮影距離         inf        inf        inf
d9             17.462      7.055      4.521
d10             9.777      5.988      1.050
d18             1.200      4.989      9.927
BF              4.000      4.000      4.000
（注）撮影距離：物体面から光学系の最物体側面までの距離
【０１００】
（可変間隔：合焦時）
広角端       中間     望遠端
撮影距離         0.3m       0.3m       0.3m
d9             17.674      7.254      4.719
（注）撮影距離：物体面から光学系の最物体側面までの距離
【０１０１】
（各レンズ群データ）
群       面番号   焦点距離
１          1-9     -7.939(f1)
２        11-18     15.004(f2)
３        19-22     26.267(f3)
【０１０２】
（非球面データ）
円錐係数（k）および非球面係数（A,B,C,D,E）
NS  ｋ          A             B             C             D             E
3    0    3.3078E-04   -2.3083E-06    1.1529E-08   -3.5615E-11    5.6011E-14
4    0    1.3818E-05    2.2271E-06   -5.5270E-08    3.7612E-10   -8.7199E-13
5    0    5.1355E-05    6.9356E-06   -7.4144E-08    3.0706E-10
6    0    3.0856E-04    2.1050E-06    4.8711E-08   -7.2161E-10
11   0   -1.2907E-04   -3.0116E-06    1.3995E-07   -5.5620E-09
12   0    1.9766E-04   -1.9158E-06    4.2598E-08   -3.6111E-09
21   0   -8.0906E-05    3.3818E-06   -7.8503E-08    6.0124E-09
22   0    1.6501E-04    2.8373E-06   -1.5053E-07    8.8307E-09
【０１０３】
（条件式（１）に関する数値）
ｆ２３ｗ＝13.454
ｆ２３ｗ／ｆｗ＝5.61
（ｆ２３ｗ：広角端における無限遠物体合焦時の第２レンズ群Ｇ2と第３レンズ群Ｇ3との合成焦点距離）
【０１０４】
（条件式（２）に関する数値）
｜ｆ１／ｆｗ｜＝3.31
【０１０５】
（条件式（３）に関する数値）
Ｒ１ａ＝-49.864
Ｒ２ａ＝14.300
（Ｒ１ａ＋Ｒ２ａ）／（Ｒ１ａ−Ｒ２ａ）＝0.55
（Ｒ１ａ：第１プラスチックレンズＬ12の物体側面の曲率半径、Ｒ２ａ：第１プラスチックレンズＬ12の像側面の曲率半径）
【０１０６】
（条件式（４）に関する数値）
ｆｐ１＝-20.603
ｆｐ１／ｆ１＝2.60
（ｆｐ１：第１プラスチックレンズＬ12の焦点距離）
【０１０７】
（条件式（５）に関する数値）
ｆｐ２＝-20.650
ｆｐ２／ｆｐ１＝1.00
（ｆｐ２：第２プラスチックレンズＬ13）
【０１０８】
（条件式（６）に関する数値）
ＳａｇＨ＝-0.085
ＳａｇＥ＝3.215
｜（ＳａｇＨ−ＳａｇＥ）／ｆｐ１｜＝0.16
（ＳａｇＨ：第１プラスチックレンズＬ12の物体側面における変曲点でのサグ量、ＳａｇＥ：第１プラスチックレンズＬ12の物体側面における最大有効径でのサグ量）
【０１０９】
（条件式（７）に関する数値）
｜ｆ２／ｆ１｜＝1.89
【０１１０】
（条件式（８）に関する数値）
｜ｆ３／ｆ２｜＝1.75
【０１１１】
（条件式（９）に関する数値）
｜ｆ１／ｆｔ｜＝1.36
【０１１２】
（条件式（１０）に関する数値）
ｆ２３ｔ＝19.163
ｆ２３ｔ／ｆｔ＝3.29
【０１１３】
（条件式（１１）に関する数値）
ｆ３／ｆｗ＝10.95
【０１１４】
（条件式（１２）に関する数値）
ｆ３／ｆｔ＝4.51
【０１１５】
図６は、実施例１にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例２】
【０１１６】
図７は、実施例２にかかる広角ズームレンズの構成を示す光軸に沿う断面図である。本実施例にかかる広角ズームレンズの光学構成は、第１レンズ群Ｇ1において最も像面ＩＭＧ側に両凹負レンズＬ214と両凸正レンズＬ215とからなる接合レンズが配置されていること、第２レンズ群Ｇ2において両凸正レンズＬ25の物体側面に接合されているのが物体側に凸面を向けた負メニスカスレンズＬ224であること以外、実施例１に示した広角ズームレンズと同様である。よって、本実施例では、実施例１と同様な部材には同一の符号を付すとともに、それらについての詳細な説明は省略する。
【０１１７】
以下、実施例２にかかる広角ズームレンズに関する各種数値データ（光学諸元表）を示す。
【０１１８】
（面データ）
ＮＳ          ｒ          ｄ         ｎｄ        νｄ
1           43.000      1.500      1.58913      61.25
2           18.000      7.100 
3*         -67.647      1.500      1.53504      55.71
4*          14.300     10.438 
5*         -38.681      2.300      1.53504      55.71
6*          18.798      6.320 
7          -10.523      0.600      1.49700      81.60
8           26.754      2.000      1.85478      24.79
9          -66.782        d9(可変) 
10(絞り)      inf        d10(可変)
11*         12.475      4.221      1.49710      81.55
12*        -12.116      0.563 
13        -131.037      0.500      1.85478      24.79
14           8.299      3.233      1.80809      22.76
15         -49.687      3.312 
16          60.781      0.500      1.84666      23.78
17           8.931      3.031      1.49700      81.60
18         -12.094       d18(可変) 
19         -28.484      0.500      1.91082      35.25
20           9.817      3.762
21*         20.009      3.319      1.72903      54.04
22*        -10.446      3.100 
23             inf      1.500      1.51680      64.19
24             inf          BF(バックフォーカス)
25             inf          - 
【０１１９】
（各種データ）
広角端       中間     望遠端
f               2.398(fw)  3.898      5.818(ft)
FNO             1.803      2.302      2.940
ω             52.541     37.041     26.679
像高            3.300      3.300      3.300
光学系全長     88.501     79.183     76.637
【０１２０】
（可変間隔：変倍時）
変倍比：2.43
広角端       中間     望遠端
f               2.398      3.898      5.818
撮影距離         inf        inf        inf
d9             15.882      6.563      4.017
d10             8.122      5.028      1.050
d18             1.200      4.294      8.272
BF              4.000      4.000      4.000
（注）撮影距離：物体面から光学系の最物体側面までの距離
【０１２１】
（可変間隔：合焦時）
広角端       中間     望遠端
撮影距離         0.3m       0.3m       0.3m
d9             15.952      6.634      4.088
（注）撮影距離：物体面から光学系の最物体側面までの距離
【０１２２】
（各レンズ群データ）
群       面番号   焦点距離
１          1-9     -4.751(f1)
２        11-18     12.636(f2)
３        19-22     24.193(f3)
【０１２３】
（非球面データ）
円錐係数（k）および非球面係数（A,B,C,D,E）
NS  ｋ          A             B             C             D             E
3    0    3.6110E-04   -2.3165E-06    1.0529E-08   -3.1670E-11    4.0724E-14
4    0    3.6093E-05    3.7754E-06   -7.6755E-08    4.4352E-10   -8.9495E-13
5    0   -6.6532E-04    1.7478E-05   -1.7661E-07    7.0271E-10
6    0   -3.3693E-04    1.8456E-05   -2.2354E-07    4.1461E-09
11   0   -1.7024E-04   -8.9127E-07    3.9068E-08   -1.5369E-09
12   0    2.1336E-04   -1.8334E-06    3.8908E-08   -1.2408E-09
21   0   -8.8317E-05   -3.3352E-07   -4.1385E-08   -1.9459E-09
22   0    1.5133E-04   -3.2279E-06    5.7369E-08   -3.0067E-09
【０１２４】
（条件式（１）に関する数値）
ｆ２３ｗ＝22.060
ｆ２３ｗ／ｆｗ＝9.20
（ｆ２３ｗ：広角端における無限遠物体合焦時の第２レンズ群Ｇ2と第３レンズ群Ｇ3との合成焦点距離）
【０１２５】
（条件式（２）に関する数値）
｜ｆ１／ｆｗ｜＝1.98
【０１２６】
（条件式（３）に関する数値）
Ｒ１ａ＝-67.647
Ｒ２ａ＝14.300
（Ｒ１ａ＋Ｒ２ａ）／（Ｒ１ａ−Ｒ２ａ）＝0.65
（Ｒ１ａ：第１プラスチックレンズＬ12の物体側面の曲率半径、Ｒ２ａ：第１プラスチックレンズＬ12の像側面の曲率半径）
【０１２７】
（条件式（４）に関する数値）
ｆｐ１＝-21.923
ｆｐ１／ｆ１＝4.61
（ｆｐ１：第１プラスチックレンズＬ12の焦点距離）
【０１２８】
（条件式（５）に関する数値）
ｆｐ２＝-23.319
ｆｐ２／ｆｐ１＝1.06
（ｆｐ２：第２プラスチックレンズＬ13）
【０１２９】
（条件式（６）に関する数値）
ＳａｇＨ＝-0.041
ＳａｇＥ＝3.365
｜（ＳａｇＨ−ＳａｇＥ）／ｆｐ１｜＝0.16
（ＳａｇＨ：第１プラスチックレンズＬ12の物体側面における変曲点でのサグ量、ＳａｇＥ：第１プラスチックレンズＬ12の物体側面における最大有効径でのサグ量）
【０１３０】
（条件式（７）に関する数値）
｜ｆ２／ｆ１｜＝2.66
【０１３１】
（条件式（８）に関する数値）
｜ｆ３／ｆ２｜＝1.91
【０１３２】
（条件式（９）に関する数値）
｜ｆ１／ｆｔ｜＝0.82
【０１３３】
（条件式（１０）に関する数値）
ｆ２３ｔ＝45.048
ｆ２３ｔ／ｆｔ＝7.74
【０１３４】
（条件式（１１）に関する数値）
ｆ３／ｆｗ＝10.09
【０１３５】
（条件式（１２）に関する数値）
ｆ３／ｆｔ＝4.16
【０１３６】
図８は、実施例２にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例３】
【０１３７】
図９は、実施例３にかかる広角ズームレンズの構成を示す光軸に沿う断面図である。本実施例にかかる広角ズームレンズの光学構成は、第２レンズ群Ｇ2において両凸正レンズＬ25の物体側面に接合されているのが物体側に凸面を向けた負メニスカスレンズＬ324であること以外、実施例１に示した広角ズームレンズと同様である。よって、本実施例では、実施例１と同様な部材には同一の符号を付すとともに、それらについての詳細な説明は省略する。
【０１３８】
以下、実施例３にかかる広角ズームレンズに関する各種数値データ（光学諸元表）を示す。
【０１３９】
（面データ）
ＮＳ          ｒ          ｄ         ｎｄ        νｄ
1           47.267      1.500      1.58913      61.25
2           18.000      7.100 
3*         -56.086      1.500      1.53504      55.71
4*          14.300     10.416 
5*         -11.378      2.300      1.53504      55.71
6*         853.759      1.500 
7           15.247      0.600      1.49700      81.60
8           10.104      3.346      1.85478      24.79
9           16.933        d9(可変) 
10(絞り)      inf        d10(可変) 
11*         12.780      2.904      1.49710      81.55
12*        -18.512      0.760 
13         -22.564      0.500      1.85478      24.79
14          21.545      3.895      1.80809      22.76
15         -13.575      0.398 
16         137.579      2.595      1.84666      23.78
17           9.245      3.187      1.49700      81.60
18         -16.465       d18(可変) 
19         -17.811      0.500      1.90366      31.31
20          32.479      0.253 
21*         16.389      2.908      1.77377      47.16
22*        -12.497      3.100 
23             inf      1.500      1.51680      64.19
24             inf          BF(バックフォーカス) 
25             inf          - 
【０１４０】
（各種データ）
広角端       中間     望遠端
f               2.401(fw) 3.890      5.809(ft)
FNO             1.648      1.915      2.524
ω             52.640     38.162     27.475
像高            3.300      3.300      3.300
光学系全長     81.947     71.327     68.156
【０１４１】
（可変間隔：変倍時）
変倍比：2.42
広角端       中間     望遠端
f               2.401      3.890      5.809
撮影距離         inf        inf        inf
d9             17.405      6.785      3.615
d10             8.580      5.343      1.145
d18             1.200      4.437      8.635
BF              4.000      4.000      4.000
（注）撮影距離：物体面から光学系の最物体側面までの距離
【０１４２】
（可変間隔：合焦時）
広角端       中間     望遠端
撮影距離         0.3m       0.3m       0.3m
d9             17.607      6.986      3.816
（注）撮影距離：物体面から光学系の最物体側面までの距離
【０１４３】
（各レンズ群データ）
群       面番号   焦点距離
１          1-9     -8.054(f1)
２        11-18     13.747(f2)
３        19-22     27.106(f3)
【０１４４】
（非球面データ）
円錐係数（k）および非球面係数（A,B,C,D,E）
NS  ｋ          A             B             C             D             E
3    0    3.1919E-04   -2.2050E-06    1.1090E-08   -3.6456E-11    6.2501E-14
4    0    2.4777E-05    2.0522E-06   -5.5075E-08    3.7949E-10   -8.8029E-13
5    0    9.9962E-05    6.6412E-06   -7.6867E-08    3.2762E-10
6    0    3.7646E-04    2.4785E-06    5.3410E-08   -8.0110E-10
11   0   -2.2687E-04   -6.0229E-06    7.1085E-08   -1.3196E-08
12   0    1.3732E-04   -4.4160E-06   -8.4947E-08   -7.0178E-09
21   0   -9.7178E-05    3.8332E-06   -5.3423E-08    4.8569E-09
22   0    1.5095E-04    3.8436E-06   -1.3641E-07    7.7260E-09
【０１４５】
（条件式（１）に関する数値）
ｆ２３ｗ＝12.714
ｆ２３ｗ／ｆｗ＝5.30
（ｆ２３ｗ：広角端における無限遠物体合焦時の第２レンズ群Ｇ2と第３レンズ群Ｇ3との合成焦点距離）
【０１４６】
（条件式（２）に関する数値）
｜ｆ１／ｆｗ｜＝3.35
【０１４７】
（条件式（３）に関する数値）
Ｒ１ａ＝-56.086
Ｒ２ａ＝14.300
（Ｒ１ａ＋Ｒ２ａ）／（Ｒ１ａ−Ｒ２ａ）＝0.59
（Ｒ１ａ：第１プラスチックレンズＬ12の物体側面の曲率半径、Ｒ２ａ：第１プラスチックレンズＬ12の像側面の曲率半径）
【０１４８】
（条件式（４）に関する数値）
ｆｐ１＝-21.140
ｆｐ１／ｆ１＝2.62
（ｆｐ１：第１プラスチックレンズＬ12の焦点距離）
【０１４９】
（条件式（５）に関する数値）
ｆｐ２＝-20.967
ｆｐ２／ｆｐ１＝0.99
（ｆｐ２：第２プラスチックレンズＬ13）
【０１５０】
（条件式（６）に関する数値）
ＳａｇＨ＝-0.069
ＳａｇＥ＝3.132
｜（ＳａｇＨ−ＳａｇＥ）／ｆｐ１｜＝0.15
（ＳａｇＨ：第１プラスチックレンズＬ12の物体側面における変曲点でのサグ量、ＳａｇＥ：第１プラスチックレンズＬ12の物体側面における最大有効径でのサグ量）
【０１５１】
（条件式（７）に関する数値）
｜ｆ２／ｆ１｜＝1.71
【０１５２】
（条件式（８）に関する数値）
｜ｆ３／ｆ２｜＝1.97
【０１５３】
（条件式（９）に関する数値）
｜ｆ１／ｆｔ｜＝1.39
【０１５４】
（条件式（１０）に関する数値）
ｆ２３ｔ＝17.035
ｆ２３ｔ／ｆｔ＝2.93
【０１５５】
（条件式（１１）に関する数値）
ｆ３／ｆｗ＝11.29
【０１５６】
（条件式（１２）に関する数値）
ｆ３／ｆｔ＝4.67
【０１５７】
図１０は、実施例３にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例４】
【０１５８】
図１１は、実施例４にかかる広角ズームレンズの構成を示す光軸に沿う断面図である。本実施例にかかる広角ズームレンズの光学構成は、第１レンズ群Ｇ1において物体側に凸面を向けた負メニスカスレンズＬ14の像面ＩＭＧ側に両凸正レンズＬ415が接合されていること、第２レンズ群Ｇ2において最も物体側に物体側に凸面を向けた正メニスカスレンズＬ421が配置されていること、第３レンズ群Ｇ3において最も物体側に物体側に凸面を向けた負メニスカスレンズＬ431が配置されていること以外、実施例１に示した広角ズームレンズと同様である。正メニスカスレンズＬ421の両面には、非球面が形成されている。よって、本実施例では、実施例１と同様な部材には同一の符号を付すとともに、それらについての詳細な説明は省略する。
【０１５９】
以下、実施例４にかかる広角ズームレンズに関する各種数値データ（光学諸元表）を示す。
【０１６０】
（面データ）
ＮＳ          ｒ          ｄ         ｎｄ        νｄ
1          104.410      1.500      1.58913      61.25
2           18.000      7.100 
3*         -46.166      1.500      1.53504      55.71
4*          14.300     10.200 
5*         -15.267      2.300      1.53504      55.71
6*       64393.564      1.500 
7           43.808      0.600      1.49700      81.60
8           34.290      2.653      1.85478      24.79
9         -129.377        d9(可変) 
10(絞り)      inf        d10(可変) 
11*         10.729      2.550      1.49710      81.55
12*         30.158      0.981 
13        -280.722      0.500      1.73800      32.32
14         126.981      2.194      1.80809      22.76
15         -16.864      1.541 
16         -95.263      0.647      1.85478      24.79
17           8.200      3.914      1.43700      95.10
18         -10.505       d18(可変) 
19          23.478      0.500      1.74950      35.33
20           9.265      0.150 
21*          8.266      3.097      1.72903      54.04
22*       -214.000      3.100 
23             inf      1.500      1.51680      64.19
24             inf          BF(バックフォーカス) 
25             inf          - 
【０１６１】
（各種データ）
広角端       中間     望遠端
f               2.400(fw)  3.890      5.823(ft)
FNO             1.483      1.720      2.185
ω             52.861     39.087     28.217
像高            3.300      3.300      3.300
光学系全長     88.470     72.145     66.594
【０１６２】
（可変間隔：変倍時）
変倍比：2.43
広角端       中間     望遠端
f               2.400      3.890      5.823
撮影距離         inf        inf        inf
d9             24.836      8.512      2.959
d10            10.407      6.353      1.050
d18             1.200      5.254     10.558
BF              4.000      4.000      4.000
（注）撮影距離：物体面から光学系の最物体側面までの距離
【０１６３】
（可変間隔：合焦時）
広角端       中間     望遠端
撮影距離         0.3m       0.3m       0.3m
d9             25.269      8.943      3.392
（注）撮影距離：物体面から光学系の最物体側面までの距離
【０１６４】
（各レンズ群データ）
群       面番号   焦点距離
１          1-9    -11.759(f1)
２        11-18     18.688(f2)
３        19-22     23.281(f3)
【０１６５】
（非球面データ）
円錐係数（k）および非球面係数（A,B,C,D,E）
NS  ｋ          A             B             C             D             E
3    0    3.4988E-04   -2.3569E-06    1.0894E-08   -3.5651E-11    7.2656E-14
4    0    4.8340E-05    2.2939E-06   -5.9772E-08    3.9179E-10   -8.7199E-13
5    0   -1.4403E-04    5.6459E-06   -5.4819E-08    1.8821E-10
6    0   -1.4029E-05    4.1413E-06   -3.6641E-08    9.1546E-11
11   0   -4.0273E-04   -1.7234E-05    1.4662E-07   -1.3229E-08
12   0   -1.8196E-04   -1.5316E-05   -1.3706E-07    5.6785E-10
21   0   -6.0773E-05    4.2481E-06   -3.3748E-07    1.0924E-08
22   0    6.4782E-05    4.9232E-06   -4.2447E-07    1.7513E-08
【０１６６】
（条件式（１）に関する数値）
ｆ２３ｗ＝12.956
ｆ２３ｗ／ｆｗ＝5.40
（ｆ２３ｗ：広角端における無限遠物体合焦時の第２レンズ群Ｇ2と第３レンズ群Ｇ3との合成焦点距離）
【０１６７】
（条件式（２）に関する数値）
｜ｆ１／ｆｗ｜＝4.90
【０１６８】
（条件式（３）に関する数値）
Ｒ１ａ＝-46.166
Ｒ２ａ＝14.300
（Ｒ１ａ＋Ｒ２ａ）／（Ｒ１ａ−Ｒ２ａ）＝0.53
（Ｒ１ａ：第１プラスチックレンズＬ12の物体側面の曲率半径、Ｒ２ａ：第１プラスチックレンズＬ12の像側面の曲率半径）
【０１６９】
（条件式（４）に関する数値）
ｆｐ１＝-20.231
ｆｐ１／ｆ１＝1.72
（ｆｐ１：第１プラスチックレンズＬ12の焦点距離）
【０１７０】
（条件式（５）に関する数値）
ｆｐ２＝-28.528
ｆｐ２／ｆｐ１＝1.41
（ｆｐ２：第２プラスチックレンズＬ13）
【０１７１】
（条件式（６）に関する数値）
ＳａｇＨ＝-0.095
ＳａｇＥ＝2.419
｜（ＳａｇＨ−ＳａｇＥ）／ｆｐ１｜＝0.12
（ＳａｇＨ：第１プラスチックレンズＬ12の物体側面における変曲点でのサグ量、ＳａｇＥ：第１プラスチックレンズＬ12の物体側面における最大有効径でのサグ量）
【０１７２】
（条件式（７）に関する数値）
｜ｆ２／ｆ１｜＝1.59
【０１７３】
（条件式（８）に関する数値）
｜ｆ３／ｆ２｜＝1.25
【０１７４】
（条件式（９）に関する数値）
｜ｆ１／ｆｔ｜＝2.02
【０１７５】
（条件式（１０）に関する数値）
ｆ２３ｔ＝17.961
ｆ２３ｔ／ｆｔ＝3.08
【０１７６】
（条件式（１１）に関する数値）
ｆ３／ｆｗ＝9.70
【０１７７】
（条件式（１２）に関する数値）
ｆ３／ｆｔ＝4.00
【０１７８】
図１２は、実施例４にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例５】
【０１７９】
図１３は、実施例５にかかる広角ズームレンズの構成を示す光軸に沿う断面図である。本実施例にかかる広角ズームレンズの光学構成は、第２レンズ群Ｇ2において両凸正レンズＬ25の物体側に物体側に凸面を向けた正メニスカスレンズＬ524が接合されていること以外、実施例１に示した広角ズームレンズと同様である。よって、本実施例では、実施例１と同様な部材には同一の符号を付すとともに、それらについての詳細な説明は省略する。
【０１８０】
以下、実施例５にかかる広角ズームレンズに関する各種数値データ（光学諸元表）を示す。
【０１８１】
（面データ）
ＮＳ          ｒ          ｄ         ｎｄ        νｄ
1           45.220      1.500      1.58913      61.25
2           18.000      7.123 
3*         -56.545      1.500      1.53504      55.71
4*          14.300     12.760 
5*         -11.978      2.300      1.53504      55.71
6*          29.838      1.889 
7           15.864      1.078      1.49700      81.60
8           11.712      3.532      1.85478      24.79
9           22.013       d9(可変) 
10(絞り)     inf        d10(可変) 
11*         10.963      3.564      1.49710      81.55
12*        -15.375      0.721 
13         -20.554      0.500      1.73800      32.32
14          39.318      2.226      1.80809      22.76
15         -18.903      2.114 
16         218.810      0.500      1.85478      24.79
17           8.760      3.626      1.43700      95.10
18         -11.586      d18(可変) 
19         -18.912      0.500      1.74950      35.33
20          20.170      0.456 
21*         13.876      3.067      1.72903      54.04
22*        -13.864      3.100 
23             inf      1.500      1.51680      64.19
24             inf          BF(バックフォーカス) 
25             inf          - 
【０１８２】
（各種データ）
広角端       中間     望遠端
f               2.398(fw)  3.896      5.818(ft)
FNO             1.597      1.941      2.737
ω             52.632     37.704     27.249
像高            3.300      3.300      3.300
光学系全長     82.495     74.053     72.639
【０１８３】
（可変間隔：変倍時）
変倍比：2.43
広角端       中間     望遠端
f               2.398      3.896      5.818
撮影距離         inf        inf        inf
d9             13.600      5.158      3.744
d10            10.116      6.167      1.050
d18             1.223      5.172     10.289
BF              4.000      4.000      4.000
（注）撮影距離：物体面から光学系の最物体側面までの距離
【０１８４】
（可変間隔：合焦時）
広角端       中間     望遠端
撮影距離         0.3m       0.3m       0.3m
d9             13.740      5.298      3.884
（注）撮影距離：物体面から光学系の最物体側面までの距離
【０１８５】
（各レンズ群データ）
群       面番号   焦点距離
１          1-9     -6.720(f1)
２        11-18     14.293(f2)
３        19-22     28.676(f3)
【０１８６】
（非球面データ）
円錐係数（k）および非球面係数（A,B,C,D,E）
NS  ｋ          A             B             C             D             E
3    0    3.4816E-04   -2.4445E-06    1.1467E-08   -3.2307E-11    4.5438E-14
4    0    8.6059E-05    2.1752E-06   -5.6967E-08    3.7901E-10   -8.7199E-13
5    0    4.9590E-05    6.8033E-06   -8.7217E-08    3.5773E-10
6    0    3.3652E-04    2.1818E-06    8.6226E-08   -1.8005E-09
11   0   -1.5023E-04   -2.2177E-06    1.1077E-07   -4.2320E-09
12   0    2.0032E-04   -2.2717E-06    8.8303E-08   -3.7145E-09
21   0   -1.0259E-04    1.7564E-06   -1.2973E-07    4.5407E-09
22   0    1.1826E-04    1.2718E-06   -1.6062E-07    5.3943E-09
【０１８７】
（条件式（１）に関する数値）
ｆ２３ｗ＝13.981
ｆ２３ｗ／ｆｗ＝5.83
（ｆ２３ｗ：広角端における無限遠物体合焦時の第２レンズ群Ｇ2と第３レンズ群Ｇ3との合成焦点距離）
【０１８８】
（条件式（２）に関する数値）
｜ｆ１／ｆｗ｜＝2.80
【０１８９】
（条件式（３）に関する数値）
Ｒ１ａ＝-56.545
Ｒ２ａ＝14.300
（Ｒ１ａ＋Ｒ２ａ）／（Ｒ１ａ−Ｒ２ａ）＝0.60
（Ｒ１ａ：第１プラスチックレンズＬ12の物体側面の曲率半径、Ｒ２ａ：第１プラスチックレンズＬ12の像側面の曲率半径）
【０１９０】
（条件式（４）に関する数値）
ｆｐ１＝-21.176
ｆｐ１／ｆ１＝3.15
（ｆｐ１：第１プラスチックレンズＬ12の焦点距離）
【０１９１】
（条件式（５）に関する数値）
ｆｐ２＝-15.674
ｆｐ２／ｆｐ１＝0.74
（ｆｐ２：第２プラスチックレンズＬ13）
【０１９２】
（条件式（６）に関する数値）
ＳａｇＨ＝-0.060
ＳａｇＥ＝3.650
｜（ＳａｇＨ−ＳａｇＥ）／ｆｐ１｜＝0.18
（ＳａｇＨ：第１プラスチックレンズＬ12の物体側面における変曲点でのサグ量、ＳａｇＥ：第１プラスチックレンズＬ12の物体側面における最大有効径でのサグ量）
【０１９３】
（条件式（７）に関する数値）
｜ｆ２／ｆ１｜＝2.13
【０１９４】
（条件式（８）に関する数値）
｜ｆ３／ｆ２｜＝2.01
【０１９５】
（条件式（９）に関する数値）
｜ｆ１／ｆｔ｜＝1.15
【０１９６】
（条件式（１０）に関する数値）
ｆ２３ｔ＝20.240
ｆ２３ｔ／ｆｔ＝3.48
【０１９７】
（条件式（１１）に関する数値）
ｆ３／ｆｗ＝11.96
【０１９８】
（条件式（１２）に関する数値）
ｆ３／ｆｔ＝4.93
【０１９９】
図１４は、実施例５にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例６】
【０２００】
図１５は、実施例６にかかる広角ズームレンズの構成を示す光軸に沿う断面図である。本実施例にかかる広角ズームレンズの光学構成は、実施例５に示した広角ズームレンズと同様である。よって、本実施例では、実施例５と同様な部材には同一の符号を付すとともに、それらについての詳細な説明は省略する。
【０２０１】
以下、実施例６にかかる広角ズームレンズに関する各種数値データ（光学諸元表）を示す。
【０２０２】
（面データ）
ＮＳ          ｒ          ｄ         ｎｄ        νｄ
1           38.390      1.500      1.58913      61.25
2           18.000      7.777 
3*         -17.478      1.500      1.53504      55.71
4*          14.300     11.180 
5*         -23.229      2.300      1.53504      55.71
6*          34.557      1.500 
7           20.308      0.600      1.49700      81.60
8           12.129      2.683      1.85478      24.79
9           24.883        d9(可変) 
10(絞り)      inf        d10(可変) 
11*         10.643      3.653      1.49710      81.55
12*        -17.086      0.791 
13         -21.406      0.500      1.73800      32.32
14          30.302      2.269      1.80809      22.76
15         -19.769      1.925 
16         271.129      0.500      1.85478      24.79
17           8.307      3.599      1.43700      95.10
18         -11.532       d18(可変) 
19         -17.457      0.500      1.74950      35.33
20          35.000      0.358 
21*         17.002      2.902      1.72903      54.04
22*        -13.517      3.100 
23             inf      1.500      1.51680      64.19
24             inf          BF(バックフォーカス) 
25             inf          - 
【０２０３】
（各種データ）
広角端       中間     望遠端
f               2.399(fw)  3.895      5.814(ft)
FNO             1.545      1.857      2.546
ω             52.865     38.600     27.840
像高            3.300      3.300      3.300
光学系全長     82.486     72.470     70.135
【０２０４】
（可変間隔：変倍時）
変倍比：2.42
広角端       中間     望遠端
f               2.399      3.895      5.814
撮影距離         inf        inf        inf
d9             16.742      6.727      4.392
d10             9.905      6.040       1.05
d18             1.200      5.064     10.055
BF              4.000      4.000      4.000
（注）撮影距離：物体面から光学系の最物体側面までの距離
【０２０５】
（可変間隔：合焦時）
広角端       中間     望遠端
撮影距離         0.3m       0.3m       0.3m
d9             16.921      6.905      4.571
（注）撮影距離：物体面から光学系の最物体側面までの距離
【０２０６】
（各レンズ群データ）
群       面番号   焦点距離
１          1-9     -7.546(f1)
２        11-18     14.977(f2)
３        19-22     26.696(f3)
【０２０７】
（非球面データ）
円錐係数（k）および非球面係数（A,B,C,D,E）
NS  ｋ          A             B             C             D             E
3    0    6.8254E-04   -5.0108E-06    2.4907E-08   -7.3034E-11    1.0103E-13
4    0    2.1273E-04    1.0249E-05   -1.5382E-07    6.4451E-10   -8.7199E-13
5    0   -5.2008E-04    1.5479E-05   -1.8846E-07    7.6995E-10
6    0   -1.9905E-04    9.8351E-06   -6.1598E-08   -2.2231E-10
11   0   -1.1716E-04   -1.9868E-06    9.3747E-08   -3.7639E-09
12   0    2.1454E-04   -2.3077E-06    7.7907E-08   -3.4332E-09
21   0   -6.9238E-05   -7.6357E-06    3.3520E-07   -1.0482E-08
22   0    1.3360E-04   -8.7860E-06    3.3706E-07   -9.3945E-09
【０２０８】
（条件式（１）に関する数値）
ｆ２３ｗ＝13.974
ｆ２３ｗ／ｆｗ＝5.83
（ｆ２３ｗ：広角端における無限遠物体合焦時の第２レンズ群Ｇ2と第３レンズ群Ｇ3との合成焦点距離）
【０２０９】
（条件式（２）に関する数値）
｜ｆ１／ｆｗ｜＝3.15
【０２１０】
（条件式（３）に関する数値）
Ｒ１ａ＝-17.478
Ｒ２ａ＝14.300
（Ｒ１ａ＋Ｒ２ａ）／（Ｒ１ａ−Ｒ２ａ）＝0.10
（Ｒ１ａ：第１プラスチックレンズＬ12の物体側面の曲率半径、Ｒ２ａ：第１プラスチックレンズＬ12の像側面の曲率半径）
【０２１１】
（条件式（４）に関する数値）
ｆｐ１＝-14.462
ｆｐ１／ｆ１＝1.92
（ｆｐ１：第１プラスチックレンズＬ12の焦点距離）
【０２１２】
（条件式（５）に関する数値）
ｆｐ２＝-25.608
ｆｐ２／ｆｐ１＝1.77
（ｆｐ２：第２プラスチックレンズＬ13）
【０２１３】
（条件式（６）に関する数値）
ＳａｇＨ＝-0.383
ＳａｇＥ＝2.537
｜（ＳａｇＨ−ＳａｇＥ）／ｆｐ１｜＝0.20
（ＳａｇＨ：第１プラスチックレンズＬ12の物体側面における変曲点でのサグ量、ＳａｇＥ：第１プラスチックレンズＬ12の物体側面における最大有効径でのサグ量）
【０２１４】
（条件式（７）に関する数値）
｜ｆ２／ｆ１｜＝1.98
【０２１５】
（条件式（８）に関する数値）
｜ｆ３／ｆ２｜＝1.78
【０２１６】
（条件式（９）に関する数値）
｜ｆ１／ｆｔ｜＝1.30
【０２１７】
（条件式（１０）に関する数値）
ｆ２３ｔ＝20.237
ｆ２３ｔ／ｆｔ＝3.48
【０２１８】
（条件式（１１）に関する数値）
ｆ３／ｆｗ＝11.13
【０２１９】
（条件式（１２）に関する数値）
ｆ３／ｆｔ＝4.59
【０２２０】
図１６は、実施例６にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例７】
【０２２１】
図１７は、実施例７にかかる広角ズームレンズの構成を示す光軸に沿う断面図である。本実施例にかかる広角ズームレンズの光学構成は、実施例１に示した広角ズームレンズと同様である。よって、本実施例では、実施例１と同様な部材には同一の符号を付すとともに、それらについての詳細な説明は省略する。
【０２２２】
以下、実施例７にかかる広角ズームレンズに関する各種数値データ（光学諸元表）を示す。
【０２２３】
（面データ）
ＮＳ          ｒ          ｄ         ｎｄ        νｄ
1           53.231      1.500      1.58913      61.25
2           18.000      7.168 
3*        -271.700      1.500      1.53504      55.71
4*          14.300     10.947 
5*         -10.580      2.300      1.53504      55.71
6*         189.835      3.139 
7           35.897      0.600      1.49700      81.60
8           15.120      2.534      1.85478      24.79
9           39.697        d9(可変) 
10(絞り)      inf        d10(可変) 
11*         10.802      3.521      1.49710      81.55
12*        -17.508      0.909 
13         -19.000      0.500      1.73800      32.32
14          47.382      2.271      1.80809      22.76
15         -16.376      1.890 
16        -166.409      0.500      1.85478      24.79
17           9.081      3.530      1.43700      95.10
18         -10.605       d18(可変) 
19         -17.679      0.500      1.74950      35.33
20          25.769      0.334 
21*         16.139      2.908      1.72903      54.04
22*        -12.281      3.100 
23             inf      1.500      1.51680      64.19
24             inf          BF(バックフォーカス) 
25             inf          - 
【０２２４】
（各種データ）
広角端       中間     望遠端
f               2.397(fw)  3.896      5.822(ft)
FNO             1.483      1.769      2.330
ω             52.548     37.383     26.901
像高            3.300      3.300      3.300
光学系全長     82.511     72.043     69.431
【０２２５】
（可変間隔：変倍時）
変倍比：2.43
広角端       中間     望遠端
f               2.397      3.896      5.822
撮影距離         inf        inf        inf
d9             16.543      6.075      3.463
d10             9.618      5.899       1.05
d18             1.200      4.920      9.768
BF              4.000      4.000      4.000
（注）撮影距離：物体面から光学系の最物体側面までの距離
【０２２６】
（可変間隔：合焦時）
広角端       中間     望遠端
撮影距離         0.3m       0.3m       0.3m
d9             16.730      6.260      3.648
（注）撮影距離：物体面から光学系の最物体側面までの距離
【０２２７】
（各レンズ群データ）
群       面番号   焦点距離
１          1-9     -7.785(f1)
２        11-18     14.854(f2)
３        19-22     25.660(f3)
【０２２８】
（非球面データ）
円錐係数（k）および非球面係数（A,B,C,D,E）
NS  ｋ          A             B             C             D             E
3    0    2.6961E-04   -1.6727E-06    6.1354E-09   -1.6313E-11    3.2766E-14
4    0    1.3567E-05    1.9613E-06   -5.3677E-08    3.7286E-10   -8.7199E-13
5    0    3.0662E-04    3.4578E-06   -5.0047E-08    2.6168E-10
6    0    4.3042E-04   -4.3406E-07    6.9932E-08   -1.0866E-09
11   0   -1.2192E-04   -1.7469E-06    1.1498E-07   -4.2482E-09
12   0    2.4251E-04   -2.1695E-06    1.1266E-07   -4.1110E-09
21   0   -8.5982E-05    4.3851E-07    5.9547E-08    4.6194E-09
22   0    2.2631E-04   -9.3581E-07   -2.6272E-08    8.0002E-09
【０２２９】
（条件式（１）に関する数値）
ｆ２３ｗ＝13.797
ｆ２３ｗ／ｆｗ＝5.75
（ｆ２３ｗ：広角端における無限遠物体合焦時の第２レンズ群Ｇ2と第３レンズ群Ｇ3との合成焦点距離）
【０２３０】
（条件式（２）に関する数値）
｜ｆ１／ｆｗ｜＝3.25
【０２３１】
（条件式（３）に関する数値）
Ｒ１ａ＝-271.700
Ｒ２ａ＝14.300
（Ｒ１ａ＋Ｒ２ａ）／（Ｒ１ａ−Ｒ２ａ）＝0.90
（Ｒ１ａ：第１プラスチックレンズＬ12の物体側面の曲率半径、Ｒ２ａ：第１プラスチックレンズＬ12の像側面の曲率半径）
【０２３２】
（条件式（４）に関する数値）
ｆｐ１＝-25.344
ｆｐ１／ｆ１＝3.26
（ｆｐ１：第１プラスチックレンズＬ12の焦点距離）
【０２３３】
（条件式（５）に関する数値）
ｆｐ２＝-18.656
ｆｐ２／ｆｐ１＝0.74
（ｆｐ２：第２プラスチックレンズＬ13）
【０２３４】
（条件式（６）に関する数値）
ＳａｇＨ＝-0.003
ＳａｇＥ＝3.360
｜（ＳａｇＨ−ＳａｇＥ）／ｆｐ１｜＝0.13
（ＳａｇＨ：第１プラスチックレンズＬ12の物体側面における変曲点でのサグ量、ＳａｇＥ：第１プラスチックレンズＬ12の物体側面における最大有効径でのサグ量）
【０２３５】
（条件式（７）に関する数値）
｜ｆ２／ｆ１｜＝1.91
【０２３６】
（条件式（８）に関する数値）
｜ｆ３／ｆ２｜＝1.73
【０２３７】
（条件式（９）に関する数値）
｜ｆ１／ｆｔ｜＝1.34
【０２３８】
（条件式（１０）に関する数値）
ｆ２３ｔ＝20.000
ｆ２３ｔ／ｆｔ＝3.44
【０２３９】
（条件式（１１）に関する数値）
ｆ３／ｆｗ＝10.70
【０２４０】
（条件式（１２）に関する数値）
ｆ３／ｆｔ＝4.41
【０２４１】
図１８は、実施例７にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例８】
【０２４２】
図１９は、実施例８にかかる広角ズームレンズの構成を示す光軸に沿う断面図である。本実施例にかかる広角ズームレンズの光学構成は、第１レンズ群Ｇ1において、第１プラスチックレンズＬ12の像面ＩＭＧ側に、像面ＩＭＧ側面の光軸近傍の中心部が像面ＩＭＧに対して凸形状に形成された第２プラスチックレンズＬ813が配置されていること以外、実施例１に示した広角ズームレンズと同様である。よって、本実施例では、実施例１と同様な部材には同一の符号を付すとともに、それらについての詳細な説明は省略する。
【０２４３】
以下、実施例８にかかる広角ズームレンズに関する各種数値データ（光学諸元表）を示す。
【０２４４】
（面データ）
ＮＳ          ｒ          ｄ         ｎｄ        νｄ
1           51.472      1.500      1.58913      61.25
2           18.000      7.100 
3*         -55.373      1.500      1.53504      55.71
4*          14.300     12.110 
5*         -10.385      2.300      1.53504      55.71
6*         -55.903      2.202 
7           29.497      0.600      1.49700      81.60
8           12.350      2.640      1.85478      24.79
9           25.003        d9(可変) 
10(絞り)      inf        d10(可変) 
11*         11.040      3.462      1.49710      81.55
12*        -17.349      0.870 
13         -19.000      0.500      1.73800      32.32
14          59.012      2.208      1.80809      22.76
15         -16.419      1.917 
16        -243.219      0.500      1.85478      24.79
17           9.128      3.616      1.43700      95.10
18         -10.771       d18(可変) 
19         -19.290      0.500      1.74950      35.33
20          28.233      0.234 
21*         14.883      2.889      1.72903      54.04
22*        -14.658      3.100 
23             inf      1.500      1.51680      64.19
24             inf         BF(バックフォーカス) 
25             inf          - 
【０２４５】
（各種データ）
広角端       中間     望遠端
f               2.398(fw)  3.895      5.821(ft)
FNO             1.494      1.786      2.454
ω             52.714     37.966     27.322
像高            3.300      3.300      3.300
光学系全長     82.000     72.093     69.861
【０２４６】
（可変間隔：変倍時）
変倍比：2.43
広角端       中間     望遠端
f               2.398      3.895      5.821
撮影距離         inf        inf        inf
d9             15.645      5.738      3.506
d10             9.906      6.063       1.05
d18             1.200      5.042     10.055
BF              4.000      4.000      4.000
（注）撮影距離：物体面から光学系の最物体側面までの距離
【０２４７】
（可変間隔：合焦時）
広角端       中間     望遠端
撮影距離         0.3m       0.3m       0.3m
d9             15.826      5.918      3.685
（注）撮影距離：物体面から光学系の最物体側面までの距離
【０２４８】
（各レンズ群データ）
群       面番号   焦点距離
１          1-9     -7.640(f1)
２        11-18     14.875(f2)
３        19-22     27.085(f3)
【０２４９】
（非球面データ）
円錐係数（k）および非球面係数（A,B,C,D,E）
NS  ｋ          A             B             C             D             E
3    0    3.3990E-04   -2.3575E-06    1.1095E-08   -3.2047E-11    4.7434E-14
4    0    6.7121E-05    2.2781E-06   -5.8573E-08    3.8619E-10   -8.7199E-13
5    0    9.5822E-05    8.1444E-06   -9.5962E-08    4.6790E-10
6    0    2.5726E-04    3.1812E-06    3.1322E-08   -6.7134E-10
11   0   -1.2865E-04   -2.6106E-06    1.2785E-07   -5.2979E-09
12   0    2.1881E-04   -2.3843E-06    8.5969E-08   -4.3588E-09
21   0   -7.2484E-05    1.2413E-06   -3.5197E-09    4.0031E-09
22   0    1.7112E-04   -4.1083E-07   -7.8796E-09    5.2469E-09
【０２５０】
（条件式（１）に関する数値）
ｆ２３ｗ＝13.550
ｆ２３ｗ／ｆｗ＝5.65
（ｆ２３ｗ：広角端における無限遠物体合焦時の第２レンズ群Ｇ2と第３レンズ群Ｇ3との合成焦点距離）
【０２５１】
（条件式（２）に関する数値）
｜ｆ１／ｆｗ｜＝3.19
【０２５２】
（条件式（３）に関する数値）
Ｒ１ａ＝-55.373
Ｒ２ａ＝14.300
（Ｒ１ａ＋Ｒ２ａ）／（Ｒ１ａ−Ｒ２ａ）＝0.59
（Ｒ１ａ：第１プラスチックレンズＬ12の物体側面の曲率半径、Ｒ２ａ：第１プラスチックレンズＬ12の像側面の曲率半径）
【０２５３】
（条件式（４）に関する数値）
ｆｐ１＝-21.083
ｆｐ１／ｆ１＝2.76
（ｆｐ１：第１プラスチックレンズＬ12の焦点距離）
【０２５４】
（条件式（５）に関する数値）
ｆｐ２＝-24.265
ｆｐ２／ｆｐ１＝1.15
（ｆｐ２：第２プラスチックレンズＬ813）
【０２５５】
（条件式（６）に関する数値）
ＳａｇＨ＝-0.067
ＳａｇＥ＝3.472
｜（ＳａｇＨ−ＳａｇＥ）／ｆｐ１｜＝0.17
（ＳａｇＨ：第１プラスチックレンズＬ12の物体側面における変曲点でのサグ量、ＳａｇＥ：第１プラスチックレンズＬ12の物体側面における最大有効径でのサグ量）
【０２５６】
（条件式（７）に関する数値）
｜ｆ２／ｆ１｜＝1.95
【０２５７】
（条件式（８）に関する数値）
｜ｆ３／ｆ２｜＝1.82
【０２５８】
（条件式（９）に関する数値）
｜ｆ１／ｆｔ｜＝1.31
【０２５９】
（条件式（１０）に関する数値）
ｆ２３ｔ＝19.297
ｆ２３ｔ／ｆｔ＝3.32
【０２６０】
（条件式（１１）に関する数値）
ｆ３／ｆｗ＝11.29
【０２６１】
（条件式（１２）に関する数値）
ｆ３／ｆｔ＝4.65
【０２６２】
図２０は、実施例８にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【実施例９】
【０２６３】
図２１は、実施例９にかかる広角ズームレンズの構成を示す光軸に沿う断面図である。本実施例にかかる広角ズームレンズの光学構成は、第１レンズ群Ｇ1において第１プラスチックレンズＬ12と第２プラスチックレンズＬ13との間に物体側に凸面を向けた負メニスカスレンズＬ910が配置されていること、第２レンズ群Ｇ2において両凸正レンズＬ25の物体側面に接合されているのが物体側に凸面を向けた負メニスカスレンズＬ924であること以外、実施例１に示した広角ズームレンズと同様である。よって、本実施例では、上記実施例と同様な部材には同一の符号を付すとともに、それらについての詳細な説明は省略する。
【０２６４】
以下、実施例９にかかる広角ズームレンズに関する各種数値データ（光学諸元表）を示す。
【０２６５】
（面データ）
ＮＳ          ｒ          ｄ         ｎｄ        νｄ
1           43.000      1.500      1.58913      61.25
2           18.000      7.100 
3*         -71.651      1.500      1.53504      55.71
4*          14.300      5.000 
5           50.840      0.800      1.65844      50.86
6           19.085      5.596 
7*         -19.233      2.300      1.53504      55.71
8*          80.761      1.500 
9           23.333      0.600      1.49700      81.60
10          15.331      3.767      1.85478      24.79
11          39.095       d11(可変) 
12(絞り)      inf        d12(可変) 
13*         11.368      4.129      1.49710      81.55
14*        -16.421      0.758 
15         -19.000      0.500      1.73800      32.32
16          24.612      2.840      1.80809      22.76
17         -20.056      2.083 
18         220.384      0.500      1.85478      24.79
19           8.654      3.546      1.43700      95.10
20         -11.931       d20(可変) 
21         -18.527      0.500      1.74950      35.33
22          35.000      0.150 
23*         14.664      2.905      1.72903      54.04
24*        -14.951      3.100 
25             inf      1.500      1.51680      64.19
26             inf          BF(バックフォーカス) 
27             inf          - 
【０２６６】
（各種データ）
広角端       中間     望遠端
f               2.396(fw)  3.896      5.822(ft)
FNO             1.442      1.720      2.328
ω             52.677     37.833     27.342
像高            3.300      3.300      3.300
光学系全長     87.042     75.487     72.451
【０２６７】
（可変間隔：変倍時）
変倍比：2.43
広角端       中間     望遠端
f               2.396      3.896      5.822
撮影距離         inf        inf        inf
d11            19.489      7.934      4.898
d12            10.178      6.199       1.05
d20             1.200      5.179     10.328
BF              4.000      4.000      4.000
（注）撮影距離：物体面から光学系の最物体側面までの距離
【０２６８】
（可変間隔：合焦時）
広角端       中間     望遠端
撮影距離         0.3m       0.3m       0.3m
d11            19.706      8.150      5.114
（注）撮影距離：物体面から光学系の最物体側面までの距離
【０２６９】
（各レンズ群データ）
群       面番号   焦点距離
１         1-11     -8.337(f1)
２        13-20     16.044(f2)
３        21-24     25.413(f3)
【０２７０】
（非球面データ）
円錐係数（k）および非球面係数（A,B,C,D,E）
NS  ｋ          A             B             C             D             E
3    0    3.5123E-04   -2.6600E-06    1.4184E-08   -4.9431E-11    8.5141E-14
4    0    7.2310E-05    2.0885E-06   -6.2013E-08    4.1108E-10   -9.0253E-13
7    0   -4.7229E-04    1.1430E-05   -1.0481E-07    3.6338E-10
8    0   -1.7899E-04    8.9629E-06   -6.1190E-08    6.4325E-11
13   0   -1.1758E-04   -2.9597E-06    1.0949E-07   -3.6690E-09
14   0    1.5082E-04   -2.3457E-06    4.5402E-08   -2.4032E-09
23   0   -6.7052E-05    1.5008E-06   -2.8468E-08    2.0145E-09
24   0    1.5623E-04   -3.4017E-07    4.0944E-09    1.9139E-09
【０２７１】
（条件式（１）に関する数値）
ｆ２３ｗ＝14.151
ｆ２３ｗ／ｆｗ＝5.91
（ｆ２３ｗ：広角端における無限遠物体合焦時の第２レンズ群Ｇ2と第３レンズ群Ｇ3との合成焦点距離）
【０２７２】
（条件式（２）に関する数値）
｜ｆ１／ｆｗ｜＝3.48
【０２７３】
（条件式（３）に関する数値）
Ｒ１ａ＝-71.651
Ｒ２ａ＝14.300
（Ｒ１ａ＋Ｒ２ａ）／（Ｒ１ａ−Ｒ２ａ）＝0.67
（Ｒ１ａ：第１プラスチックレンズＬ12の物体側面の曲率半径、Ｒ２ａ：第１プラスチックレンズＬ12の像側面の曲率半径）
【０２７４】
（条件式（４）に関する数値）
ｆｐ１＝-22.146
ｆｐ１／ｆ１＝2.66
（ｆｐ１：第１プラスチックレンズＬ12の焦点距離）
【０２７５】
（条件式（５）に関する数値）
ｆｐ２＝-28.802
ｆｐ２／ｆｐ１＝1.30
（ｆｐ２：第２プラスチックレンズＬ13）
【０２７６】
（条件式（６）に関する数値）
ＳａｇＨ＝-0.038
ＳａｇＥ＝3.285
｜（ＳａｇＨ−ＳａｇＥ）／ｆｐ１｜＝0.15
（ＳａｇＨ：第１プラスチックレンズＬ12の物体側面における変曲点でのサグ量、ＳａｇＥ：第１プラスチックレンズＬ12の物体側面における最大有効径でのサグ量）
【０２７７】
（条件式（７）に関する数値）
｜ｆ２／ｆ１｜＝1.92
【０２７８】
（条件式（８）に関する数値）
｜ｆ３／ｆ２｜＝1.58
【０２７９】
（条件式（９）に関する数値）
｜ｆ１／ｆｔ｜＝1.43
【０２８０】
（条件式（１０）に関する数値）
ｆ２３ｔ＝20.713
ｆ２３ｔ／ｆｔ＝3.56
【０２８１】
（条件式（１１）に関する数値）
ｆ３／ｆｗ＝10.61
【０２８２】
（条件式（１２）に関する数値）
ｆ３／ｆｔ＝4.36
【０２８３】
図２２は、実施例９にかかる広角ズームレンズの諸収差図である。球面収差図において、縦軸はＦナンバー（図中、ＦＮＯで示す）を表し、実線はｄ線（５８７．５６ｎｍ）、長破線はｓ線（８５２．１１ｎｍ）、短破線はｇ線（４３５．８４ｎｍ）に相当する波長の特性を示している。非点収差図において、縦軸は半画角（図中、ωで示す）を表し、実線はサジタル平面（図中、Ｓで示す）、破線はメリディオナル平面（図中、Ｍで示す）の特性を示している。歪曲収差図において、縦軸は半画角（図中、ωで示す）を表している。
【０２８４】
以下に上記各実施例における光学系諸数値と条件式の対応表を示す。
【０２８５】
（光学系諸数値）
実施例1    実施例2    実施例3    実施例4    実施例5
fw          2.398      2.398      2.401      2.400      2.398
ft          5.822      5.818      5.809      5.823      5.818
f1         -7.939     -4.751     -8.054    -11.759     -6.720
f2         15.004     12.636     13.747     18.688     14.293
f3         26.267     24.193     27.106     23.281     28.676
f23w       13.454     22.060     12.714     12.956     13.981
f23t       19.163     45.048     17.035     17.961     20.240
R1a       -49.864    -67.647    -56.086    -46.166    -56.545
R2a        14.300     14.300     14.300     14.300     14.300
fp1       -20.603    -21.923    -21.140    -20.231    -21.176
fp2       -20.650    -23.319    -20.967    -28.528    -15.674
SagH       -0.085     -0.041     -0.069     -0.095     -0.060
SagE        3.215      3.365      3.132      2.419      3.650
【０２８６】
（光学系諸数値）
実施例6    実施例7    実施例8    実施例9 
fw          2.399      2.397      2.398      2.396
ft          5.814      5.822      5.821      5.822
f1         -7.546     -7.785     -7.640     -8.337
f2         14.977     14.854     14.875     16.044
f3         26.696     25.660     27.085     25.413
f23w       13.974     13.797     13.550     14.151
f23t       20.237     20.000     19.297     20.713
R1a       -17.478   -271.700    -55.373    -71.651
R2a        14.300     14.300     14.300     14.300 
fp1       -14.462    -25.344     21.083    -22.146 
fp2       -25.608    -18.656    -24.265    -28.802 
SagH       -0.383     -0.003     -0.067     -0.038 
SagE        2.537      3.360      3.472      3.285
【０２８７】
（条件式）
実施例1   実施例2   実施例3   実施例4   実施例5
(1) f23w/fw                   5.61      9.20      5.30      5.40      5.83
(2) |f1/fw|                   3.31      1.98      3.35      4.90      2.80
(3) (R1a+R2a)/(R1a-R2a)       0.55      0.65      0.59      0.53      0.60
(4) fp1/f1                    2.60      4.61      2.62      1.72      3.15
(5) fp2/fp1                   1.00      1.06      0.99      1.41      0.74
(6) |(SagH-SagE)/fp1|         0.16      0.16      0.15      0.12      0.18
(7) |f2/f1|                   1.89      2.66      1.71      1.59      2.13
(8) |f3/f2|                   1.75      1.91      1.97      1.25      2.01
(9) |f1/ft|                   1.36      0.82      1.39      2.02      1.15
(10)f23t/ft                   3.29      7.74      2.93      3.08      3.48
(11)f3/fw                    10.95     10.09     11.29      9.70     11.96
(12)f3/ft                     4.51      4.16      4.67      4.00      4.93
【０２８８】
（条件式）
実施例6   実施例7   実施例8   実施例9 
(1) f23w/fw                   5.83      5.75      5.65      5.91
(2) |f1/fw|                   3.15      3.25      3.19      3.48
(3) (R1a+R2a)/(R1a-R2a)       0.10      0.90      0.59      0.67 
(4) fp1/f1                    1.92      3.26      2.76      2.66
(5) fp2/fp1                   1.77      0.74      1.15      1.30
(6) |(SagH-SagE)/fp1|         0.20      0.13      0.17      0.15
(7) |f2/f1|                   1.98      1.91      1.95      1.92
(8) |f3/f2|                   1.78      1.73      1.82      1.58
(9) |f1/ft|                   1.30      1.34      1.31      1.43
(10)f23t/ft                   3.48      3.44      3.32      3.56
(11)f3/fw                    11.13     10.70     11.29     10.61
(12)f3/ft                     4.59      4.41      4.65      4.36 
【０２８９】
また、上記各非球面形状は、面頂点を原点とし、光軸に垂直方向の座標をＨ、Ｈにおける光軸方向の変位量をＸ（Ｈ）、近軸曲率半径をＲ、円錐係数をｋ、４次，６次，８次，１０次，１２次の非球面係数をそれぞれＡ，Ｂ，Ｃ，Ｄ，Ｅとし、光の進行方向を正とするとき、以下に示す式により表される。なお、面形状および屈折力の符号は、非球面が含まれているものについては、近軸領域で考えるものとする。
【０２９０】
【数１】
2020101719.tif 000003
【０２９１】
以上説明したように、上記各実施例の広角ズームレンズは、物体側から順に、負の屈折力を有する第１レンズ群と、正の屈折力を有する第２レンズ群と、第３レンズ群と、を配置し、第１レンズ群に特殊な形状の非球面を有するプラスチックレンズを備えることによって、歪曲収差を効果的に補正するとともに、軽量化、低価格化を図り、各レンズ群の焦点距離を適切に設定することで、大口径化、小型化、軽量化を実現することができる。加えて、上記各条件式を満足することによって、より優れた光学性能を備えた広角ズームレンズを実現することができる。また、適宜非球面が形成されたレンズを配置したことにより、収差補正能力を向上させることができる。
【０２９２】
＜適用例＞
次に、本発明にかかる広角ズームレンズを撮像装置に適用した例を示す。図２３は、本発明にかかる広角ズームレンズを備えた撮像装置の一適用例を示す図である。図２３に示すように、撮像装置１００は、レンズ鏡筒部１１０と、カメラ１２０と、からなる。レンズ鏡筒部１１０は、広角ズームレンズ１１１が収容される。広角ズームレンズ１１１は、図示しない駆動機構の駆動によって、変倍や無限遠物体から近距離物体への合焦が実行される。また、カメラ１２０は、固体撮像素子１２１を備えている。図２３では、広角ズームレンズ１１１として実施例１（図５を参照）のものを示したが、実施例２〜９に示した広角ズームレンズであっても同様に撮像装置１００に搭載可能である。
【０２９３】
広角ズームレンズ１１１と固体撮像素子１２１とを備えた撮像装置１００において、図５に示した像面ＩＭＧが固体撮像素子１２１の撮像面に相当する。固体撮像素子１２１としては、たとえば、ＣＣＤやＣＭＯＳセンサなどの光電変換素子を用いることができる。
【０２９４】
撮像装置１００において、広角ズームレンズ１１１の物体側から入射した光が最終的に固体撮像素子１２１の撮像面に結像する。そして、固体撮像素子１２１は受像した光を光電変換して電気信号として出力する。この出力信号が図示しない信号処理回路によって演算処理され、物体像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【０２９５】
以上のように、本発明にかかる広角ズームレンズを備えることにより、良好な画像が得られる高性能の撮像装置１００を実現することができる。なお、図２３では本発明にかかる広角ズームレンズを監視カメラに適用した例を示したが、本発明にかかる広角ズームレンズは、一眼レフカメラ、デジタルスチルカメラ、ビデオカメラ等、固体撮像素子が搭載された各種の撮像装置に用いることが可能である。
【産業上の利用可能性】
【０２９６】
以上のように、本発明にかかる広角ズームレンズは、ＣＣＤやＣＭＯＳ等の固体撮像素子が搭載された小型の撮像装置に有用であり、特に、高い光学性能が要求される撮像装置に適している。
【符号の説明】
【０２９７】
Ｇ1  第１レンズ群
Ｇ2  第２レンズ群
Ｇ3  第３レンズ群
Ｌ11,Ｌ14，Ｌ224，Ｌ324，Ｌ431，Ｌ910，Ｌ924  負メニスカスレンズ
Ｌ12  第１プラスチックレンズ
Ｌ13，Ｌ813  第２プラスチックレンズ
Ｌ15，Ｌ421，Ｌ524  正メニスカスレンズ
Ｌ21，Ｌ23，Ｌ25，Ｌ32，Ｌ215，Ｌ415  両凸正レンズ
Ｌ22，Ｌ24，Ｌ31，Ｌ214  両凹負レンズ
Ｓ  絞り
ＣＧ  カバーガラス
ＩＭＧ  像面
１００  撮像装置
１１０  レンズ鏡筒部
１１１  広角ズームレンズ
１２０  カメラ
１２１  固体撮像素子
【図１】
2020101719.tif 000004
【図２】
2020101719.tif 000005
【図３】
2020101719.tif 000006
【図４】
2020101719.tif 000007
【図５】
2020101719.tif 000008
【図６】
2020101719.tif 000009
【図７】
2020101719.tif 000010
【図８】
2020101719.tif 000011
【図９】
2020101719.tif 000012
【図１０】
2020101719.tif 000013
【図１１】
2020101719.tif 000014
【図１２】
2020101719.tif 000015
【図１３】
2020101719.tif 000016
【図１４】
2020101719.tif 000017
【図１５】
2020101719.tif 000018
【図１６】
2020101719.tif 000019
【図１７】
2020101719.tif 000020
【図１８】
2020101719.tif 000021
【図１９】
2020101719.tif 000022
【図２０】
2020101719.tif 000023
【図２１】
2020101719.tif 000024
【図２２】
2020101719.tif 000025
【図２３】
2020101719.tif 000026